(57)【要約】本発明は、デジタル音声放送システムにおいてデータ及び／または音声を表すデジタル信号ビットをインターリービングする方法を提供する。この方法は、デジタル信号の複数ビットを行列（図２２）に書込み、その行列からビットを読出すステップより成り、書込み及び読出しステップのうちの少なくとも１つは非順次アドレス方式に従う。インターリービング済みビットを送信する装置及びビットを受信してデインターリービングする装置も提供される。
2006501724.tif 000002
【特許請求の範囲】
【請求項１】
デジタル音声放送システムにおいてデータ及び／または音声を表すデジタル信号ビットをインターリービングする方法であって、
デジタル信号の複数のビットを行列に書込み、
その行列からビットを読出すステップから成り、書込み及び読出しステップのうちの少なくとも一方は非順次アドレス方式に従うインターリービング方法。
【請求項２】
行列内のビット数はデジタル信号の転送フレーム内のビット数に等しい請求項１の方法。
【請求項３】
行列内のビットは複数の区画に分けて配置されている請求項１の方法。
【請求項４】
各区画は複数のブロックより成る請求項３の方法。
【請求項５】
各区画は論理チャンネルを表すビット群を含む請求項３の方法。
【請求項６】
各論理チャンネル内のビットはスクランブルされる請求項５の方法。
【請求項７】
デジタル音声放送システムにおいてデータ及び／または音声を表すデジタル情報を放送する方法であって、
送信すべきデジタル信号の複数のビットを受信し、
それらのビットを行列に書込み、
その行列からそれらのビットを読出し、
書込み及び読出しステップのうちの少なくとも一方は非順次アドレス方式に従い、
それらのビットを複数のキャリア信号にマッピングし、
キャリア信号を送信するステップより成る放送方法。
【請求項８】
行列内のビット数はデジタル信号の転送フレーム内のビット数に等しい請求項７の方法。
【請求項９】
行列内のビットは複数の区画に分けて配置されている請求項７の方法。
【請求項１０】
各区画は複数のブロックより成る請求項９の方法。
【請求項１１】
各区画は論理チャンネルを表すビット群を含む請求項９の方法。
【請求項１２】
各論理チャンネル内のビットはスクランブルされる請求項１１の方法。
【請求項１３】
デジタル信号のビットを行列に書込むステップの前にそれらのビットをチャンネル符号化するステップをさらに含む請求項７の方法。
【請求項１４】
デジタル信号のビットを行列に書込むステップの前にそれらをスクランブリングするステップをさらに含む請求項７の方法。
【請求項１５】
デジタル音声放送システムにおいてデータ及び／または音声を表すデジタル信号をインターリービングする装置であって、
送信すべきデジタル信号の複数のビットを受信する手段と、
それらのビットを行列に書込む手段と、
その行列からそれらのビットを読出す手段とより成り、
書込み及び読出し手段のうちの少なくとも一方は非順次アドレス方式に従うインターリービング装置。
【請求項１６】
行列内のビット数はデジタル信号の転送フレーム内のビット数に等しい請求項１５の装置。
【請求項１７】
行列内のビットは複数の区画に分けて配置されている請求項１５の装置。
【請求項１８】
各区画は複数のブロックより成る請求項１７の装置。
【請求項１９】
各区画は論理チャンネルを表すビット群を含む請求項１７の装置。
【請求項２０】
各論理チャンネル内のビットはスクランブルされる請求項１９の装置。
【請求項２１】
デジタル音声放送システムにおいてデータ及び／または音声を表すデジタル情報を放送する装置であって、
送信すべきデジタル信号の複数のビットを受信する手段と、
それらのビットを行列に書込む手段と、
その行列からそれらのビットを読出す手段と、
それらのビットを複数のキャリア信号にマッピングする手段と、
キャリア信号を送信する手段とより成り、
書込み及び読出し手段のうちの少なくとも一方は非順次アドレス方式に従う放送装置。
【請求項２２】
行列内のビット数はデジタル信号の転送フレーム内のビット数に等しい請求項２１の装置。
【請求項２３】
行列内のビットは複数の区画に分けて配置されている請求項２１の装置。
【請求項２４】
各区画は複数のブロックより成る請求項２１の装置。
【請求項２５】
各区画は論理チャンネルを表すビット群を含む請求項２１の装置。
【請求項２６】
各論理チャンネル内のビットはスクランブルされる請求項２５の装置。
【請求項２７】
デジタル信号のビットを行列に書込むステップの前にそれらのビットをチャンネル符号化する手段をさらに含む請求項２１の装置。
【請求項２８】
デジタル信号のビットを行列に書込むステップの前にそれらをスクランブリングする手段をさらに含む請求項２１の装置。
【請求項２９】
デジタル音声放送においてデータ及び／または音声を表すデジタル信号の受信ビットをデインターリービングする方法であって、
デジタル信号の複数の受信ビットを行列に書込み、
その行列からビットを読出すステップから成り、書込み及び読出しステップのうちの少なくとも一方は非順次アドレス方式に従うデインターリービング方法。
【請求項３０】
行列内のビット数はデジタル信号の転送フレーム内のビット数に等しい請求項２９の方法。
【請求項３１】
デジタル音声放送システムにおいてデータ及び／または音声を表すデジタル情報を受信する方法であって、
デジタル信号の複数のビットを受信し、
それらのビットを行列に書込み、
その行列からそれらのビットを読出し、
読出したビットにより出力信号を発生させるステップより成り、
書込み及び読出しステップのうちの少なくとも一方は非順次アドレス方式に従うデジタル情報の受信方法。
【請求項３２】
行列内のビット数はデジタル信号の転送フレーム内のビット数に等しい請求項３１の方法。
【請求項３３】
デジタル音声放送システムにおいてデータ及び／または音声を表すデジタル信号をデインターリービングする装置であって、
デジタル信号の複数のビットを受信する手段と、
それらのビットを行列に書込む手段と、
その行列からそれらのビットを読出す手段とより成り、
書込み及び読出し手段のうちの少なくとも一方は非順次アドレス方式に従うデジタル信号のデインターリービング装置。
【請求項３４】
行列内のビット数はデジタル信号の転送フレーム内のビット数に等しい請求項３３の装置。
【請求項３５】
デジタル音声放送システムにおいてデータ及び／または音声を表すデジタル情報を受信する装置であって、
デジタル信号の複数のビットを受信する手段と、
それらのビットを行列に書込む手段と、
その行列からそれらのビットを読出す手段と、
読出したビットにより出力信号を発生させる手段とより成り、
書込み及び読出し手段のうちの少なくとも一方は非順次アドレス方式に従うデジタル情報の受信装置。
【請求項３６】
行列内のビット数はデジタル信号の転送フレーム内のビット数に等しい請求項３５の装置。
【発明の詳細な説明】
【技術分野】
【０００１】
本発明は、インバンド・オンチャンネル（ＩＢＯＣ）デジタル音声放送（ＤＡＢ）にかかわり、さらに詳細には、ＤＡＢシステムにおける信号ビットのインターリービング方法及び装置にかかわる。
【背景技術】
【０００２】
ＩＢＯＣ ＤＡＢ方式は、現在のアナログ振幅変調（ＡＭ）及び周波数変調（ＦＭ）ラジオから全デジタルのインバンド・オンチャンネル方式へのスムーズな進化を可能にするように設計されている。これらの方式は、デジタル音声及びデータサービスを既存のＭＦ及びＶＨＦ放送バンドにおいて地上の送信機からモバイル、ポータブル及び固定受信機に提供することができる。放送会社は、引き続き、アナログＡＭ及びＦＭを新しく、高品質で、ロバスト性が高いデジタル信号と同時に送信して、現在の周波数の割当てを維持しながらアナログからデジタルラジオ放送への転換を行うことができる。
【０００３】
デジタル音声放送（ＤＡＢ）は、既存のアナログ放送フォーマットより優れたデジタル品質の音声を提供できる。ＡＭ及びＦＭインバンド・オンチャンネルＤＡＢ信号は、デジタル変調された信号が現在放送されているアナログ信号と共存するハイブリッドフォーマットか、またはアナログ信号を全く使用しない全デジタルフォーマットの何れかで送信可能である。ＩＢＯＣ ＤＡＢでは、各信号が既存のＡＭまたはＦＭ割当てチャンネルのスペクトルマスク内で送信されるため新しいスペクトルの割当てを必要としない。ＩＢＯＣ ＤＡＢは、放送会社による現在の視聴者ベースへのデジタル品質の音声の供給を可能にしながらスペクトルの経済性を向上させる。
【０００４】
米国特許第５，５８８，０２２号に記載された１つのＡＭ ＩＢＯＣ ＤＡＢ方式は、標準のＡＭ放送チャンネル内でアナログ信号とデジタル信号を同時に放送する方法を提供する。この方式では、第１の周波数スペクトルを有する振幅変調ラジオ周波数信号を送信する。振幅変調ラジオ周波数信号は、アナログプログラム信号により変調される第１のキャリアを含む。同時に、第１の周波数スペクトルを包含する帯域幅内で複数のデジタル変調キャリア信号を送信する。各デジタル変調キャリア信号はデジタルプログラム信号の一部により変調されている。第１群のデジタル変調キャリア信号は第１の周波数スペクトル内にあり、第１のキャリア信号による直交変調を受ける。第２及び第３群のデジタル変調キャリア信号は第１の周波数スペクトルの外側の上及び下側波帯にあり、第１のキャリア信号により同相及び直角位相で変調される。多数のキャリアが通信情報を運ぶために直交周波数分割多重化（ＯＦＤＭ）を利用する。
【０００５】
ＦＭ ＩＢＯＣ ＤＡＢ方式は、米国特許第６，５１０，１７５号；６，１０８，８１０号；５，９４９，７９６号；５，４６５，３９６号；５，３１５，５８３号；５，２８７，８４４号；及び５，２７８，８２６号を含む幾つかの米国特許の主題である。ＦＭコンパチブルデジタル音声放送方式では、デジタル符号化された音声情報が既存のアナログＦＭ信号チャンネルと同時に送信される。音声をデジタル放送する利点には、既存のＦＭラジオチャンネルよりノイズが少なく動的レンジが広い優れた信号品質が含まれる。最初は、既存の受信機はアナログＦＭ信号を引き続き受信できるが、新しいＩＢＯＣ ＤＡＢ受信機はデジタル信号を復号できるハイブリッドフォーマットが使用されるであろう。そして将来のある時点で、ＩＢＯＣ ＤＡＢ受信機の増加により、放送会社は全デジタルフォーマット放送方式の選択を行うかもしれない。ハイブリッドＩＢＯＣ ＤＡＢは、既存のＦＭ信号を同時に送信しながら、事実上ＣＤ品質のステレオデジタル音声（及びデータ）を提供できる。全デジタルＩＢＯＣ ＤＡＢは、データチャンネルと共に事実上ＣＤ品質のステレオ音声を提供することができる。
【０００６】
提案されている１つのＦＭ ＩＢＯＣ ＤＡＢ方式として、アナログ変調ホストＦＭキャリアが占めるスペクトルの上方及び下方の、ＦＭ中心周波数から約１２９ｋＨｚ乃至１９９ｋＨｚ離れた領域で直交周波数分割多重化（ＯＦＤＭ）サブキャリアを含む信号を使用するものがある。米国特許第６，４３０，２２７号に示すＩＢＯＣのオプションでは、サブキャリアを中心周波数からたった１００ｋＨｚの近い所からスタートすることができる。既存のアナログＦＭ信号の帯域幅はＯＦＤＭサブキャリアが占める帯域幅よりも有意に小さい。
【０００７】
ＯＦＤＭ信号は、全てが共通のシンボルレートで変調された直交方向に離隔する複数のキャリアを含む。パルスシンボル（例えば、ＢＰＳＫ、ＱＰＳＫ、８ＰＳＫまたはＱＡＭ）の周波数間隔はシンボルレートに等しい。ＦＭ ＤＡＢ信号をＩＢＯＣ送信するために、ＯＦＤＭサブキャリアの冗長セットを、共存するアナログＦＭキャリアの両側の上側波帯（ＵＳＢ）及び下側波帯（ＬＳＢ）に配置する。ＤＡＢサブキャリアの出力をＦＭ信号に対して約−２５ｄＢに設定する。ＤＡＢ信号のレベル及びスペクトルの占有を、ＤＡＢサブキャリアにとって適当な信号対ノイズ比（ＳＮＲ）を与えながらそのＦＭホストに対する干渉を制限するように設定する。サブキャリアのうちのある特定のものを、制御信号を受信機に送信するための基準サブキャリアとしてとっておくことができる。
【０００８】
デジタル放送方式の特徴の１つとして、デジタル化された音声とデータを同時に送信できるという固有の能力がある。デジタル音声情報は帯域制限のあるチャンネルを伝送するために圧縮することが多い。例えば、ステレオコンパクトディスク（ＣＤ）からのデジタルソース情報を約１．５Ｍｂｐｓから９６ｋｂｐｓに圧縮しながら、ＦＭ ＩＢＯＣ ＤＡＢの事実上ＣＤの音声品質を維持することができる。さらに、４８ｋｂｐｓまたはそれ以下に圧縮しても、ＡＭ ＤＡＢ方式またはＦＭ ＤＡＢ方式の低ラテンシーバックアップ及び同調チャンネルに使用できる良好なステレオ音声品質を得ることができる。複合ＤＡＢ信号を用いて種々のデータサービスを実現することが可能である。例えば、複数のデータチャンネルを複合ＤＡＢ信号内で放送することができる。
【０００９】
１９９９年８月２４日付けの米国特許出願第０９／３８２，７１６号（発明の名称:”Method And Apparatus For Transmission And Reception Of Compressed Audio Frames With Prioritized Messages For Digital Audio Broadcasting”−ＰＣＴ出願公開第ＷＯ ０１１５３５８号）は、ＩＢＯＣ ＤＡＢ方式で送信するためにモデムフレームを編成する方法及び装置を開示しており、本願の一部としてこの特許を引用する。
【００１０】
本発明は、ＩＢＯＣ ＤＡＢシステムのデジタル情報ビットのインターリービング方法及び装置を提供する。
【発明の概要】
【００１１】
本発明は、デジタル音声放送システムにおいてデータ及び／または音声を表すデジタル信号ビットをインターリービングする方法を提供する。この方法は、デジタル信号の複数ビットを行列に書込み、その行列からビットを読出すステップより成り、書込み及び読出しステップのうちの少なくとも１つは非順次アドレス方式に従う。
【００１２】
行列内のビット数はデジタル信号の転送フレーム内のビット数に等しい。行列内のビットは複数の区画に分けて配置されており、各区画は複数のブロックを含む。
【００１３】
各区画は論理チャンネルを表すビット群を含み、各論理チャンネル内のビットはスクランブルすることができる。
【００１４】
本発明は、デジタル音声放送システムにおいてデータ及び／または音声を表すデジタル情報を放送する方法であって、送信すべきデジタル信号の複数のビットを受信し、それらのビットを行列に書込み、その行列からそれらのビットを読出し、それらのビットを複数のキャリア信号にマッピングし、キャリア信号を送信するステップより成り、書込み及び読出しステップのうちの少なくとも一方は非順次アドレス方式に従う放送方法を包含する。
【００１５】
これらのビットは、行列に書込むステップの前にそれらのビットをチャンネル符号化することができ、また、行列に書込むステップの前にそれらをスクランブリングすることができる。
【００１６】
本発明は、別の局面において、デジタル音声放送システムにおいてデータ及び／または音声を表すデジタル信号をインターリービングする装置であって、送信すべきデジタル信号の複数のビットを受信する手段と、それらのビットを行列に書込む手段と、その行列からそれらのビットを読出す手段とより成り、書込み及び読出し手段のうちの少なくとも一方は非順次アドレス方式に従うインターリービング装置を提供する。
【００１７】
本発明はさらに、デジタル音声放送システムにおいてデータ及び／または音声を表すデジタル情報を放送する装置であって、送信すべきデジタル信号の複数のビットを受信する手段と、それらのビットを行列に書込む手段と、その行列からそれらのビットを読出す手段と、それらのビットを複数のキャリア信号にマッピングする手段と、キャリア信号を送信する手段とより成り、書込み及び読出し手段のうちの少なくとも一方は非順次アドレス方式に従う放送装置を包含する。
【００１８】
本発明は、別の局面において、デジタル音声放送においてデータ及び／または音声を表すデジタル信号の受信ビットをデインターリービングする方法であって、デジタル信号の複数の受信ビットを行列に書込み、その行列からビットを読出すステップから成り、書込み及び読出しステップのうちの少なくとも一方は非順次アドレス方式に従うデインターリービング方法を提供する。
【００１９】
本発明はさらに、デジタル音声放送システムにおいてデータ及び／または音声を表すデジタル情報を受信する方法であって、デジタル信号の複数のビットを受信し、それらのビットを行列に書込み、その行列からそれらのビットを読出し、読出したビットにより出力信号を発生させるステップより成り、書込み及び読出しステップのうちの少なくとも一方は非順次アドレス方式に従うデジタル情報の受信方法を包含する。
【００２０】
本発明はさらに、デジタル音声放送システムにおいてデータ及び／または音声を表すデジタル信号をデインターリービングする装置であって、デジタル信号の複数のビットを受信する手段と、それらのビットを行列に書込む手段と、その行列からそれらのビットを読出す手段とより成り、書込み及び読出し手段のうちの少なくとも一方は非順次アドレス方式に従うデジタル信号のデインターリービング装置を包含する。
【００２１】
本発明は、別の局面において、デジタル音声放送システムにおいてデータ及び／または音声を表すデジタル情報を受信する装置であって、デジタル信号の複数のビットを受信する手段と、それらのビットを行列に書込む手段と、その行列からそれらのビットを読出す手段と、読出したビットにより出力信号を発生させる手段とより成り、書込み及び読出し手段のうちの少なくとも一方は非順次アドレス方式に従うデジタル情報の受信装置を提供する。
【実施例】
【００２２】
添付図面を参照して、図１は、デジタル音声放送システムに用いる送信機１０の機能的ブロック図である。この送信機は、メインプログラムサービス音声信号を受ける入力１２と、ステーション識別サービスデータを受ける入力１４と、メインプログラムサービスデータ、補充プログラムサービスデータ及び補助アプリケーションサービスデータを受ける入力１６とを有する。ハイブリッドＤＡＢでは、メインプログラムサービス音声信号のアナログバージョンは、ブロック１８で示すように遅延され、ライン２０上に遅延アナログ音声信号が発生される。音声サブシステム２２は、メインプログラムサービス音声信号を符号化し、圧縮して、ライン２４上に符号化された圧縮デジタル信号を発生させる。トランスポート及びサービス多重化サブシステム２６は、符号化された圧縮デジタル信号、ステーション識別サービスデータ、メインプログラムサービスデータ、補充プログラムサービスデータ及び補助アプリケーションサービスデータを受けて、これらの信号に、以下に述べるように、図１のブロック２８、３０、３２として表される種々のトランスポート処理を施す。その結果得られる信号は、サービスマルチプレクサ３４により多重化され、ＲＦ送信サブシステム３６に送られる。ライン３８上のデジタル信号はブロック４０で示すようにチャンネル符号化され、その結果ライン４２上に得られる符号化された信号はブロック４４で示すようにアナログ音声信号と共に変調される。その結果得られる信号は、増幅した後、アンテナにより複数のＩＢＯＣ ＤＡＢ受信機４８の少なくとも１つに送信することができる。
【００２３】
このシステムは、符号化を行うことにより、サンプリング済み音声信号のビットレート及びベースバンド信号の処理を減少させ、送信チャンネルの信号のロバスト性を増加させる。これにより、高品質の音声信号と補助データとを、バンドを区分した形で且つ既存のアナログ信号に干渉しない低いレベルで送信することができる。
【００２４】
ＩＢＯＣ ＤＡＢ信号は、アナログ変調キャリアと共に複数のデジタル変調キャリアを含むハイブリッドフォーマットか、またはアナログ変調キャリアを使用しない全デジタルフォーマットで送信することができる。
【００２５】
ダイバーシティ遅延は、フェージング及びインパルスノイズのような非定常的なチャンネル障害に対処するために同じ情報を運ぶ２つのチャンネルのうちの一方に固定時間遅延を与える。
【００２６】
図２は、ハイブリッドＦＭ ＩＢＯＣ波形５０の概略図である。この波形は、放送チャンネル５４の中心に位置するアナログ変調信号５２と、上側波帯５８にある第１の複数の等間隔直交周波数分割多重化サブキャリア５６と、下側波帯６２にある第２の複数の等間隔直交周波数分割多重化サブキャリア６０とを有する。デジタル変調サブキャリアは、所要のチャンネル信号マスクに合わせるためにアナログ変調キャリアよりも低い電力レベルで放送される。これらのデジタル変調サブキャリアは複数の区分に分割され、種々のサブキャリアが基準サブキャリアとして指定される。１つの周波数区分は、１８個のデータサブキャリアと１個の基準サブキャリアを含む１９個のＯＦＤＭサブキャリアより成るグループである。
【００２７】
ハイブリッド波形は、アナログＦＭ変調信号と、デジタル変調一次メインサブキャリアとを含む。これらのサブキャリアの周波数は等間隔である。サブキャリアの位置は−５４６乃至＋５４６の番号を付してある。図２の波形では、これらのサブキャリアは＋３５０乃至＋５４６と、−３５０乃至＋５４６の位置にある。この波形は全デジタル波形への変換に先立つ初期遷移時に通常使用される。
【００２８】
デジタル信号は、図２に示すように、アナログＦＭ信号の両側の一次メイン側波帯により送信される。一次メイン側波帯はそれぞれ１０個の周波数区分より成るが、これらはサブキャリア３５６乃至５４５または−３５６乃至−５４５の間に割当てられている。一次メイン側波帯に含まれるサブキャリア５４６及び−５４６は、付加的な基準サブキャリアである。各サブキャリアの振幅は振幅スケール係数によりスケーリングすることができる。
【００２９】
図２に示すように、ハイブリッド波形では、デジタル信号はアナログＦＭ信号の両側の一次メイン（ＰＭ）側波帯により送信される。各ＰＭ側波帯は１０個の周波数区分より成るが、これらの周波数区分はサブキャリア３５６乃至５４５または−３５６乃至−５４５の間に割当てられている。ＰＭ側波帯に含まれるサブキャリア５４６及び−５４６は付加的な基準サブキャリアである。各サブキャリアの振幅は振幅スケール係数によりスケーリングされる。
【００３０】
図３は、拡張ハイブリッドＦＭ ＩＢＯＣ波形７０の概略図である。拡張ハイブリッド波形は、ハイブリッド波形に存在する一次メイン側波帯に一次拡張側波帯７２、７４を付加することにより発生される。サービスモードに応じて、１、２または４個の周波数区分を各一次メイン側波帯の内側端縁部に付加することができる。
【００３１】
拡張ハイブリッド波形は、アナログＦＭ信号に加えて、デジタル変調一次メインサブキャリア（サブキャリア＋３５６乃至＋５４６及び−３５６乃至−５４６）と、一部または全部の一次拡張サブキャリア（サブキャリア＋２８０乃至＋３５５及び−２８０乃至−３５５）とを有する。この波形は全デジタル波形への変換に先立つ初期遷移時に通常利用される。
【００３２】
各一次メイン側波帯は、サブキャリア３５６乃至５４６または−３５６乃至−５４６にまたがる、１０個の周波数区分と、1個の付加的基準サブキャリアとを有する。上方の一次拡張側波帯は、サブキャリア３３７乃至３５５（１つの周波数区分）、３１８乃至３５５（２つの周波数区分）、または２８０乃至３５５（４つの周波数区分）を有する。下方の一次拡張側波帯は、サブキャリア−３３７乃至−３５５（１つの周波数区分）、−３１８乃至−３５５（２つの周波数区分）、または−２８０乃至−３５５（４つの周波数区分）を有する。各サブキャリアの振幅は振幅スケール係数によりスケールすることができる。
【００３３】
図４は、全デジタルＦＭ ＩＢＯＣ波形８０の概略図である。全デジタル波形は、アナログ信号を非作動状態にし、一次デジタル側波帯８２、８４の帯域幅を完全に拡張し、アナログ信号が明渡したスペクトルに低電力の二次側波帯８６、８８を付加することにより構成される。図示の実施例の全デジタル波形は、サブキャリア位置−５４６乃至＋５４６にデジタル変調サブキャリアを含むが、アナログＦＭ信号はない。
【００３４】
全デジタル波形の各一次側波帯には、１０個のメイン周波数区分に加えて、４つの拡張周波数区分が全て存在する。各二次側波帯は、１０個の二次メイン（ＳＭ）周波数区分と、４つの二次拡張（ＳＸ）周波数区分とを有する。しかしながら、一次側波帯とは異なり、二次メイン周波数区分はチャンネルの中心に近い方にマッピングされ、拡張周波数区分は中心からさらに離れている。
【００３５】
各二次側波帯は、１２個のＯＦＤＭサブキャリア及び基準サブキャリア２７９及び−２７９を含む小さな二次保護（ＳＰ）領域９０、９２もサポートする。これらの側波帯は、アナログまたはデジタル干渉により影響を受ける可能性が最も少ないスペクトル領域に位置するため「保護」側波帯と呼ぶ。チャンネルの中心（０）には別の基準サブキャリアが配置されている。ＳＰ領域は周波数区分を含まないため、ＳＰ領域の周波数区分の順序は適用されない。
【００３６】
各二次メイン側波帯は、サブキャリア１乃至１９０または−１乃至−１９０にまたがる。上方の二次拡張側波帯はサブキャリア１９１乃至２６６を含み、上方の二次保護側波帯はサブキャリア２６７乃至２７８と、付加的基準サブキャリア２７９とを含む。下方の二次拡張側波帯はサブキャリア−１９１乃至−２６６を含み、下方の二次保護側波帯はサブキャリア−２６７乃至−２７８と、付加的基準サブキャリア２７９とを含む。全デジタルスペクトルの周波数スパンの合計は３９６，８０３Ｈｚである。各サブキャリアの振幅は振幅スケール係数によりスケーリングすることができる。二次側波帯の振幅スケール係数はユーザーによる選択を可能にすることができる。二次側波帯に加えるものとして４つのうちの１つを選択できる。
【００３７】
種々のＤＡＢ波形は、３つの新しい波形タイプ：ハイブリッド、拡張ハイブリッド及び全デジタルを提供することにより、デジタル放送システムへの移行のための柔軟性ある手段を提供する。ハイブリッド及び拡張ハイブリッドタイプはアナログＦＭ信号を保持するが、全デジタルタイプはそうではない。これら３つの波形タイプは全て、現在割当てられている電波放射スペクトルマスクに合致する。
【００３８】
デジタル信号は直交周波数分割多重化（ＯＦＤＭ）方式により変調される。ＯＦＤＭは、データの流れが同時に送信される多数の直交サブキャリアを変調する並行変調方式である。ＯＦＤＭは、固有の柔軟性を有し、種々の群のサブキャリアへの論理チャンネルのマッピングを容易にする。
【００３９】
ハイブリッド波形では、デジタル信号はハイブリッド波形のアナログＦＭ信号の両側の一次メイン（ＰＭ）側波帯により送信される。各側波帯の電力レベルはアナログＦＭ信号の全電力よりもかなり小さい。アナログ信号はモノラルまたはステレオであり、下位通信許可権（ＳＣＡ）チャンネルを含むことができる。
【００４０】
拡張ハイブリッド波形では、ハイブリッド側波帯の帯域幅をアナログＦＭ信号の方へ拡張することによりデジタル容量を増加できる。各一次メイン側波帯の内側端縁部に割当てられるこの付加的なスペクトルは一次拡張（ＰＸ）側波帯と呼ばれる。
【００４１】
全デジタル波形では、アナログ信号が除去され、一次デジタル側波帯の帯域幅が拡張ハイブリッド波形のように完全に拡張されている。さらに、この波形により、低電力のデジタル二次側波帯をアナログＦＭ信号により明渡されたスペクトルで送信することができる。
【００４２】
ＯＦＤＭサブキャリアは複数の周波数区分に編成される。各周波数区分は、図５（配列Ａ）及び図６（配列Ｂ）に示すように、１８個のデータサブキャリアと、１個の基準サブキャリアとより成る。基準サブキャリアの位置（配列Ａまたは配列Ｂ）はスペクトル内の周波数区分の場所により異なる。各周波数区分内にある基準サブキャリアとは別に、最大５個の付加的な基準サブキャリアが、サービスモードに応じて、スペクトル内のサブキャリア番号−５４６、−２７９、０、２７９、５４６に挿入される。それによる全体的な効果は、スペクトルを通して基準サブキャリアが規則的に分布されることである。表示の便宜のため、各基準サブキャリアには０と６０の間の唯一無二の識別番号が割当てられる。図７は全ての下側波帯基準サブキャリアを示す。図８は全ての上側波帯基準サブキャリアを示す。これらの図は、基準サブキャリアの番号と、ＯＦＤＭサブキャリアの番号との間の関係を示す。
【００４３】
図面に示す各スペクトルは、サブキャリア番号と、ある特定の重要なＯＦＤＭサブキャリアの中心周波数とを含む。サブキャリアの中心周波数は、サブキャリア番号にＯＦＤＭサブキャリア間隔Δｆを乗算することにより計算される。サブキャリア０の中心は０Ｈｚのところにある。これに関連して、中心周波数は無線周波数（ＲＦ）割当てチャンネルに応じた相対的なものである。
【００４４】
図９は、デジタル音声放送システム用送信機の信号処理プロトコルレイヤー１００を示す機能ブロック図である。図９は、放送側でＩＢＯＣ信号を発生させるために制御信号及び情報信号をいかにしてプロトコルスタックの種々のレイヤーを通過させるかを示している。
【００４５】
このシステムにより、ブロック１０２及び１０４に示すステーション識別サービス（ＳＩＳ）及び補助アプリケーションサービス（ＡＡＳ）を含む種々のサービスを提供することができる。
【００４６】
データサービスインターフェイス１０６は、矢印１０８及び１１０が示すＳＩＳ及びＡＡＳ信号を受ける。メインプログラムアプリケーション１１２はまた、矢印１１４で示すように、メインプログラムサービス（ＭＰＳ）データ信号をインターフェイス１０６に供給する。データサービスインターフェイスはデータをチャンネルマルチプレクサ１１６に出力するが、このマルチプレクサは、矢印１１８で示すようにＲＦ／送信システム１２０が使用する転送フレームを発生させる。
【００４７】
メインプログラムサービスは、アナログ及びデジタルの両方の送信信号における既存のアナログラジオプログラムフォーマットを維持する。さらに、メインプログラムサービスは音声プログラミングと直接相関関係のあるデジタルデータを含むことができる。ＡＭ及びＦＭシステムは共通のシステムプロトコルスタックを共有する。ＡＭ及びＦＭシステムは、レイヤー１（Ｌ１）と表示されるモデム／物理レイヤーに主要な相違点がある。上方のレイヤーはＡＭ及びＦＭシステムの両方にとって共通である。
【００４８】
ＳＩＳは、デジタルラジオステーション及びそれらのサポートサービスのユーザーによるサーチ及び選択を間接的に許容する所要の制御及び識別情報を提供する。ＳＩＳは他の全てのアプリケーションから入力を受け取るため、それらのステータスを一次ＩＢＯＣデータサービス（ＰＩＤＳ）Ｌ１論理チャンネル及び／または二次（ＩＢＯＣ）データサービス（ＳＩＤＳ）Ｌ１論理チャンネルを介して放送することができる。ＡＡＳにより、事実上無制限な数の特注及び特化デジタルアプリケーションを同時に作動させることができる。補助アプリケーションを将来の任意の時点で付加することが可能である。
【００４９】
図１０は、モデム／物理レイヤー１の処理を示す機能的ブロック図である。音声及びデータは高位のプロトコルレイヤーから物理レイヤーであるモデムへ複数のレイヤー１サービスアクセスポイント（ＳＡＰ）１６０を介して送られる。
【００５０】
Ｌ１ ＳＡＰは、システムプロトコルスタックのレイヤー１とレイヤー２の間のインターフェイスを規定する。各チャンネルは、別個の転送フレームでレイヤー１に入るが、特異なサイズ及びレートはサービスモードにより決まる。レイヤー２からの情報を運ぶ転送フレームをＬ１サービスデータユニット（ＳＤＵ）と呼ぶ。
【００５１】
論理チャンネル及びそれらの機能の考え方は、ＩＢＯＣシステムを介するデータのトランスポート及び送信の中心となる。論理チャンネルは、レイヤー１ＳＤＵをレイヤー１を介し特定のサービス等級で導く信号経路である。図１０において、論理チャンネルをＰ１、ＰＩＤＳ、Ｓ１などのようなシンボルで示す。下線は論理チャンネルのデータがベクトルとしてフォーマットされていることを示す。
【００５２】
スクランブリングすると、各論理チャンネルのデジタルデータがランダムになって「白色化」され、波形が従来型アナログＦＭ復調器において復調される時に信号周期性が緩和される。各論理チャンネルのビットは、時間領域データをランダム化し受信機の同期を支援するためにスクランブリングを施される。スクランブリングは、同期プロセスの困難性または変調信号の平均より高い周波数成分による意図しない干渉を生ぜしめる可能性がある１または０の長いビット流、または周期的データパターンの発生を防止するために使用される。スクランブリングは符号化の後の変調レベルでかけることが多い。しかしながら、このシステムの好ましい実施例では、便宜的に、スクランブリングを符号化の前に論理チャンネルでかける。この場合、情報ビットをスクランブルすると、多少スクランブルされた変調信号が得られる。論理チャンネルにスクランブルをかける場合或る低いレベルのセキュリティーを使用できるという別の利点が得られるが、これは受信機がデータを復号化するためにスクランブル符号を知る必要があるからである。
【００５３】
スクランブラーへの入力は、サービスコードにより選択されるような、Ｌ１ ＳＡＰからのアクティブ論理チャンネルである。スクランブラーの出力は、アクティブ論理チャンネルのそれぞれのスクランブリングされたビットの転送フレームである。スクランブラーは、入力データベクトルを加算されたモジュロ−２である擬似符号を発生する。この符号発生器は線形フィードバックシフトレジスタである。
【００５４】
チャンネル符号化は、図１０に示すスクランブリング、チャンネル符号化及びインターリービングの機能により構成される。各論理チャンネルは別個に、そして並列的に、スクランブリングされ、符号化される。全ての並列スクランブラーは同一であるが、アクティブサービスモードに応じて異なるレートで動作する。各スクランブラーは、基本多項式を有する線形フィードバックシフトレジスタを用いて最大長スクランブリング時系列を発生する。スクランブリング済み転送フレームの所与のビットは、関連の入力ビットをスクランブリング時系列の対応ビットと共に加算するモジュロ−２により発生される。
【００５５】
ＦＭシステムのレイヤー１は、レイヤー２（Ｌ２）からの情報及びシステム制御信号をＶＨＦバンドでの送信のためにＦＭ波形に変換する。情報及び制御信号は、レイヤー１サービスアクセスポイント（ＳＡＰ）を介する多数の論理チャンネルにより別個の転送フレームでトランスポートされる。これらの転送フレームはレイヤー１サービスデータユニット（ＳＤＵ）とも呼ばれる。
【００５６】
周波数区分毎に、データサブキャリアｄ１乃至ｄ１８はＬ１ＳＤＵを運び、基準サブキャリアはシステム制御信号を運ぶ。サブキャリアは、中心周波数の０から割当て周波数チャンネル両端部の±５４６まで番号が付されている。
【００５７】
Ｌ１ ＳＤＵは、サービスモードに応じてサイズ及びフォーマットが異なる。システム制御信号の主要成分であるサービスモードは、各論理チャンネルの伝送特性を決定する。候補となるアプリケーションの必要条件を評価した後、高位のプロトコルレイヤーは論理チャンネルを最も適切に構成するサービスモードを選択する。これらの必要条件は選択のための基準でもある。それらは、ハイブリッド信号と全デジタル信号の間の選択、ハイブリッド信号に関連して、または全デジタル信号では別個に行われるバンドの拡張、所望の取得ロバスト性、コンテンツラテンシー、及び所望の信号品質を含む。複数の論理チャンネルは、種々のクラスのデジタル音声及びデータの同時的搬送をサポートするシステムの固有の柔軟性を反映するものである。
【００５８】
レイヤー１はまた、レイヤー１システム制御プロセッサが用いるレイヤー２からのシステム制御信号を受ける。システム制御チャンネル（ＳＣＣＨ）は制御信号及びステータス情報をトランスポートする。一次及び二次サービスモード制御信号、振幅スケール係数セレクト信号及びＰ３インターリーバーセレクト信号はレイヤー２からレイヤー１へ送られるが、同期情報はレイヤー１からレイヤー２へ送られる。
【００５９】
システム制御データ時系列は、レイヤー１とレイヤー２の間を送られる種々のシステム制御成分を表す各基準サブキャリアに向けられたビット時系列である。「予約済み」と表示されたシステム制御データ時系列の幾つかのビットは、Ｌ１の上方のレイヤーから一次予約済み制御データインターフェイス及び二次予約済み制御データインターフェイスを介して制御される。
【００６０】
サービスモードは、スループット性能レベル及び選択された論理チャンネルを特定する作動パラメータの特定の構成である。サービスモードは論理チャンネルの可能な全ての構成を決定する。合計で１１個のサービスモードが存在する。７個の一次サービスモードはＭＰ１、ＭＰ２、ＭＰ３、ＭＰ４、ＭＰ５、ＭＰ６、ＭＰ７である。これらは一次論理チャンネルを構成する。４個の二次サービスモードはＭＳ１，ＭＳ２、ＭＳ３、ＭＳ４であり、これは二次論理チャンネルを構成する。
【００６１】
論理チャンネルは、転送フレームのＬ１ ＳＤＵをレイヤー１に導く信号経路であり、特定のサービス等級はサービスモードにより決定される。ＦＭエアインターフェイスのレイヤー１は、高位のレイヤーのプロトコルに１０個の論理チャンネルを提供する。全ての論理チャンネルを各サービスモードで使用されるわけではない。
【００６２】
ハイブリッド及び全デジタル波形の両方と併用する一次論理チャンネルが４個ある。それらをＰ１、Ｐ２、Ｐ３及びＰＩＤＳとして示す。表１は、一次サービスモードの関数として各一次論理チャンネルによりサポートされるおおよその情報レートを示す。
表１．一次論理チャンネルのおおよその情報レート
サービスモード    おおよその情報レート(kbits/秒)      波形
Ｐ１      Ｐ２      Ｐ３    ＰＩＤＳ
ＭＰ１      ９８      Ｎ／Ａ    Ｎ／Ａ    １      ハイブリッド
ＭＰ２      ９８      Ｎ／Ａ    １２      １      拡張ハイブリッド
ＭＰ３      ９８      Ｎ／Ａ    ２５      １      拡張ハイブリッド
ＭＰ４      ９８      Ｎ／Ａ    ５０      １      拡張ハイブリッド
ＭＰ５      ２５      ７４      ２５      １      拡張ハイブリッド、全デジタル
ＭＰ６      ５０      ４９      Ｎ／Ａ    １      拡張ハイブリッド、全デジタル
ＭＰ７      ２５      ９８      ２５      １      拡張ハイブリッド、全デジタル
【００６３】
全デジタル波形とのみ併用される二次論理チャンネルが６個ある。それらをＳ１、Ｓ２、Ｓ３、Ｓ４、Ｓ５及びＳＩＤＳとして示す。表２は、二次サービスモードの関数として各二次論理チャンネルによりサポートされるおおよその情報レートを示す。
表２．二次論理チャンネルのおおよその情報レート
サービスモード      おおよその情報レート(kbit/秒)            波形
Ｓ１  Ｓ２  Ｓ３  Ｓ４  Ｓ５  ＳＩＤＳ
ＭＳ１          ０    ０    ０  ９８    ６    １        全デジタル
ＭＳ２        ２５  ７４  ２５    ０    ６    １        全デジタル
ＭＳ３        ５０  ４９    ０    ０    ６    １        全デジタル
ＭＳ４        ２５  ９８  ２５    ０    ６    １        全デジタル
【００６４】
論理チャンネルＰ１乃至Ｐ３及びＳ１乃至Ｓ５は音声及びデータを運ぶために設計されるが、一次ＩＢＯＣデータサービス（ＰＩＤＳ）及び二次ＩＢＯＣデータサービス（ＳＩＤＳ）論理チャンネルはＩＢＯＣデータサービス（ＩＤＳ）情報を運ぶために設計されている。
【００６５】
各論理チャンネルの性能は、３つの特性パラメータ、即ち、転送、ラテンシー、ロバスト性により完全に記述される。チャンネル符号化、スペクトルマッピング、インターリーバー深さ及びダイバーシティ遅延はこれらの特性パラメータの成分である。サービスモードは、各アクティブ論理チャンネルのレイヤー１内のこれらのコンポーネントを一義的に構成し、それにより適当な特性パラメータを決定する。さらに、サービスモードは各アクティブ論理チャンネルを介する転送フレームのフレーミング及び同期を特定する。
【００６６】
図１０に示す幾つかの処理段を論理チャンネルの下付き文字で示す。例えば、論理チャンネルの表示は、スクランブリング後は「Ｓ」の下付き文字を、またチャンネル符号化後は「Ｇ」の下付き文字を付してある。加えて、Ｐ１´Gのようなプライム符号表示は、その論理チャンネルがプライム符号のないチャンネルとは異なる態様で処理され、割当てられた帯域幅内のスペクトルの異なる部分で送信されることを示す。論理チャンネル名の１つの下線表示は、データが種々の機能間でベクトルとして送られることを意味する。各論理チャンネルは専用のスクランブラー及びチャンネル符号化器を有する。
【００６７】
Ｌ１ ＳＡＰ１６０は、システムプロトコルスタックのレイヤー１とレイヤー２の間のインターフェイスを示す。各チャンネルは別個の転送フレームでレイヤー１に入るが、その特異なサイズ及びレートはサービスモードにより決定される。レイヤー２からの情報を運ぶ転送フレームをＬ１ ＳＤＵと呼ぶ。
【００６８】
ブロック１６２で示すスクランブリング機能は、各論理チャンネルのデジタルデータをランダム化して信号周期性を緩和する。スクランブリング機能の出力において、論理チャンネルベクトルはそれらの同一性を保持するが、下付き文字「Ｓ」で識別される（例えば、Ｐ１S）。
【００６９】
ブロック１６４で示すチャンネル符号化機能は、畳込み符号化により各論理チャンネルのデジタルデータに冗長性を付加して、チャンネル障害の存在下における信頼性を改善する。チャンネル符号化は、各論理チャンネルに冗長性を付加することにより送信される情報の信頼性を改善するために使用される。符号レートは、チャンネル符号化により生じる符号化チャンネル上のオーバーヘッドの増加を規定する。符号レートは、符号化後のビット総数に対する情報ビットの比率である。
【００７０】
畳込み符号化は、前方誤り訂正チャンネル符号化の一形態であり、符号化ビットを情報ビットの連続流に挿入して予測可能な構造を形成する。ブロック符号化器とは異なり、畳込み符号化器はメモリーを有し、その出力は現在の入力と前の入力の関数である。
【００７１】
論理チャンネルベクトルのサイズは符号レートに逆比例して増加する。符号レートは、チャンネル符号化により生じる符号化チャンネル上のオーバーヘッドの増加を規定する。それは符号化後のビット総数に対する情報ビットの比率である。
【００７２】
符号化方法はサービスモードにより構成可能である。選択された論理チャンネルにはダイバーシティ遅延が加えられる。ダイバーシティ遅延は、フェージング及びインパルスノイズのような非定常的チャンネル障害を克服するために同じ情報を運ぶ２つのチャンネルのうちの一方に固定時間遅延を与える。
【００７３】
チャンネル符号化器の出力において、論理チャンネルベクトルはそれらの同一性を保持するが、下付き文字「Ｇ」により識別される（例えば、Ｐ１G）。いくつかのサービスモードにおいて、Ｐ１及びＳ１は出力に遅延されたバージョンと、遅延されないバージョンを与えるために分割される。
【００７４】
ブロック１６６で示す、時間及び周波数におけるインターリービングは、バースト誤りの効果を軽減するために使用される。インターリービング方法はＶＨＦのフェージング環境に対して調整され、サービスモードにより構成することができる。ＶＨＦチャンネルにおけるマルチパスフェージングの統計的データは、隣接チャンネルの干渉と共に、例えば、上側波帯または下側波帯、もしくはこれらの側波帯の一部であるサブキャリアの大きな群に影響を与える。インターリービングにより、良好な符号ビット（干渉により影響されない）が合理的に良好な「パンクチャド」非破局的符号を取り込むことができるように符号ビットが配置される。さらに、典型的な移動体のＶＨＦチャンネルにおけるマルチパスフェージングの統計的データをとると、周波数選択性があり車両速度に比例する漸移レートで時間変動するフェードが生じる。これらの周波数及び時間フェージングの統計的データは、インターリーバーの時間スパン及び符号ビットの周波数インターリービングに影響を与える。周波数インターリービングはＯＦＤＭ方式で活用される。このインターリービングによりチャンネルのロバスト性能が有意に増加する。このプロセスにおいて、論理チャンネルはそれらの同一性を失う。インターリーバー出力は行列フォーマットの構造にされる。各行列は、１またはそれ以上の論理チャンネルより成り、送信スペクトルの特定の部分と関連がある。インターリーバー行列の表示はスペクトルマッピングを反映するものである。例えば、ＰＭはスペクトルの一次メイン部分に対してマッピングされ、ＳＸ１はスペクトルの二次拡張（ＳＸ）部分に対してマッピングされる。
【００７５】
ブロック１６８に示すシステム制御処理により、基準サブキャリア上で放送するために制御及びステータス（サービスモードのような）を含むシステム制御データ時系列の行列が発生する。このデータ行列を「基準」を表すために「Ｒ」と表示する。
【００７６】
ブロック１７０に示すＯＦＤＭサブキャリアマッピングにより、インターリーバー行列及びシステム制御行列がＯＦＤＭサブキャリアに割当てられる。各アクティブインターリーバー行列の１つの行は、ＯＦＤＭシンボルＴs毎に処理されて１つの出力ベクトルＸを発生させるが、このベクトルはその信号の周波数領域表示である。このマッピングは均等でない干渉環境に特に調整され、サービスモードの関数である。受信機では、後続のデインターリービング及び種々のモードにおける復号化を可能にするために何らかの制御情報を必要とする。この制御情報は一般的にインターリービングされない。
【００７７】
ブロック１７２に示すＯＦＤＭ信号発生機能は、時間領域ＦＭ波形のデジタル部分を発生させる。この入力ベクトルは整形された時間領域のベースバンドパルスｙn（ｔ）に変換されるが、このパルスは１つのＯＦＤＭシンボルを規定する。
【００７８】
ブロック１７４に示す送信サブシステムは、ＶＨＦチャンネルを介して送信するためにベースバンド波形のフォーマッティングを行う。主要な副機能には、シンボルの連結及び周波数の上方変換が含まれる。さらに、ハイブリッド波形を送信する際、この機能はアナログソースを変調して、それをデジタル信号に結合することにより、すぐに送信できる複合ハイブリッド信号ｓ（ｔ）を形成する。
【００７９】
拡張ハイブリッド波形は、図３に示すように、一次拡張側波帯をハイブリッド波形に存在する一次メイン側波帯に付加することにより発生される。サービスモードに応じて、１個、２個または４個の周波数区分を各一次メイン側波帯の内側端縁部に付加することができる。
【００８０】
各一次メイン側波帯は、サブキャリア３５６乃至５４６または−３５６乃至−５４６にまたがる１０個の周波数区分と、付加的な基準セブキャリアとを含む。上方一次拡張側波帯は、サブキャリア３３７乃至３５５（１つの周波数区分）、３１８乃至３５５（２つの周波数区分）、または２８０乃至３５５（４つの周波数区分）を含む。下方一次拡張側波帯は、サブキャリア−３３７乃至−３５５（１つの周波数区分）、−３１８乃至−３５５（２つの周波数区分）、または−２８０乃至−３５５（４つの周波数区分）を含む。各サブキャリアの振幅は振幅スケール係数によりスケーリングされる。符号化ビットの重みと、障害を受ける可能性が高いと思われる区分とはマッチする。従って、重要度の大きい符号ビットほど保護される度合いの大きい区分に配置される。
【００８１】
全デジタル波形は、アナログ信号を非作動状態にし、一次デジタル側波帯の帯域幅を完全に拡張し、アナログ信号が明渡したスペクトルに低電力の二次側波帯を付加することにより構成される。全デジタル波形のスペクトルを図４に示す。
【００８２】
システム制御チャンネル（ＳＣＣＨ）は、レイヤー２とレイヤー１の間で制御及びステータス情報の別個の転送フレームを引き渡す。レイヤー２からレイヤー１に渡される制御情報は、一次サービスモード制御（ＰＳＭ）、二次サービスモード制御（ＳＳＭ）、及び振幅スケール係数セレクト（ＡＳＦ）を含む。レイヤー２からレイヤー１へ渡されるステータス情報は、Ｐ３インターリーバーセレクト（Ｐ３ＩＳ）である（拡張ハイブリッド及び全デジタル波形のみ）。レイヤー１からレイヤー２へ渡されるステータス情報は、絶対Ｌ１フレーム番号（ＡＬＦＮ）及びＬ１ブロックカウント（ＢＣ）より成る。さらに、「予約済み」と表示されたシステム制御データ時系列の幾つかのビットは、一次予約制御データインターフェイス及び二次予約制御データインターフェイスを介してＬ１の上方のレイヤーから制御される。このステータス情報及びＬ１ブロックカウント並びに制御情報の状態表示（ＡＬＦＮは例外）は、基準サブキャリア上で放送される。
【００８３】
サービスモードは論理チャンネルの構成及び性能を決定する。サービスモードには２つの基本的タイプがあるが、それらは一次論理チャンネルを構成する一次サービスモードと、二次論理チャンネルを構成する二次サービスモードである。
【００８４】
全ての波形は一次サービスモードと二次サービスモードの両方の定義を必要とする。二次側波帯が存在しない場合、二次サービスモードは「ナシ」に設定される。システムの一実施例において、合計１１個のサービスモードがデジタル音声及びデータの種々の組み合わせ及びタイプの伝送をサポートする。
【００８５】
アクティブ一次サービスモード（ＰＳＭ）は、ＭＰ１、ＭＰ２、ＭＰ３、ＭＰ４、ＭＰ５、ＭＰ６、ＭＰ７と表示される。アクティブ二次サービスモード（ＳＳＭ）は、ＭＳ１、ＭＳ、ＭＳ３、ＭＳ４と表示される。
【００８６】
一次サービスモードは逆向きの互換性を与える。逆向きの互換性により、いかなる新しい動作モードも任意の受信機により復号可能な一次サービスモードを運ぶことができる。二進数０００１１０より大きい一次サービスモードビットの割当てが将来の拡張に備えてとっておかれる。しかしながら、逆向きの互換性を確保するために、とっておかれた全てのサービスモードはサービスモードＭＰ１−ＭＰ６のうちの１つとの逆向きの互換性を維持しなければならない。最小限、逆向きの互換性は、ＰＩＤＳ論理チャンネルと、基準サブキャリア上を運ばれるシステム制御データ時系列（行列Ｒ）と、中位の品質のデジタル音声をサポートできる少なくとも１つの論理チャンネルとを含む。ハイブリッドサービスモードＭＰ１−ＭＰ４との逆向きの互換性を有する任意のサービスモードもまたハイブリッドサービスモードであり、二次サービスモードは「ナシ」に設定する必要がある。
【００８７】
一次サービスモードは、２つの構成のうちの１つにおいて一次サービスモードＭＰ５及びＭＰ６との逆向きの互換性を維持することができる。Ｐ１及びＰ１´の両方の論理チャンネルまたはＰ１´の論理チャンネルだけをサポートできればよい。
【００８８】
全デジタル波形の二次側波帯を放送する際、アクティブ一次及び二次サービスモードの両方が必要である。サービスモードＭＰ１乃至ＭＰ４は全デジタル波形では無効である。全デジタル波形を放送する時は、一次サービスモード（ＭＰ５乃至ＭＰ７）だけを二次サービスモード（ＭＳ１乃至ＭＳ４）とのペアを形成すればよい。これらの一次及び二次サービスモードの任意の組み合わせが可能である。
【００８９】
一次サービスモード制御信号（ＰＭＳ）及び二次サービスモード制御信号（ＳＳＭ）は、レートＲfでＳＳＣＨを介してレイヤー２から受信される。サービスモードの変化はＬ１フレーム境界上でのみ惹き起こされる。しかしながら、全てのサービスモードの変化が継ぎ目なく（レイヤー１サービスを中断しないで）行うことができるわけではない。
【００９０】
サービスモードＭＰ２−ＭＰ５及びＭＰ７では、Ｐ３論理チャンネルは短いインターリーバー深さ（時間スパン）か長いインターリーバー深さの何れかを使用できる。長いインターリーバー深さは、短いインターリーバー深さよりもロバスト性が大きい。しかしながら、長いインターリーバー（約１．４８秒）により復号時間が長くなり、音声を聞くことができる前の受信機の同調時間に影響が及ぶ。この長い同調時間は場合によっては受け入れ不可であるため、短いインターリーバーが使用される。
【００９１】
長いインターリーバーか短いインターリーバーかはＰＤＵ長さに関する相対的な用語である。短いインターリーバーは信号ＰＤＵのある量のビットをカプセル化するが、長いインターリーバーは幾つかの連続ＰＤＵからのビットをカプセル化できる。長いインターリーバーの長さは１つのパラメータである。ロバスト性とコンテンツアベイラビリティ遅延との間にはトレードオフの関係がある。特定のユーザーが特定のケースのためにある時点で遅延をより重要なファクタと考える場合、短いインターリーバーを選択するとロバスト性が限られたものになる。所与の時間とコンテンツの組み合わせ条件下においてロバスト性をより重要なファクタと考える場合、長いインターリーバーを選択すればよい。
【００９２】
Ｐ３インターリーバーセレクト（Ｐ３ＩＳ）は、Ｌ２からＳＣＣＨを介して受信される。システムがサービスモードＭＰ１またはＭＰ７で送信している場合、このビットはＬ１により無視される。サービスモードＭＰ２−ＭＰ５またはＭＰ７で送信している間にＰ３ＩＳの状態が変化すると（Ｌ１フレーム境界上で検知される）、Ｐ３論理チャンネルの送信が中断される。Ｐ３ＩＳの状態の変化は他の任意の論理チャンネルの動作に影響を与えない。
【００９３】
送信される信号は、持続時間Ｔfの一連の特異なＬ１フレームとして考えることができる。転送フレームは、レイヤー２において発生し、論理チャンネルを介して処理するためにグループを形成する特定長さの整列した一次元データビット集合体である。全ての送信を絶対時間の基準で行うために、各Ｌ１フレームを絶対Ｌ１フレーム番号（ＡＬＦＮ）に関連付ける。この統一フレーム番号付け方式は、ＡＬＦＮ ０の開始が１９８０年１月６日の協定世界時（ＵＴＣ）で００：００：００に生じたと仮定する。後続の各Ｌ１フレームの開始は、その時点後正確にＴfの整数倍の時点で起こる。現在のＡＬＦＮは、現在のＧＰＳ時間（ＧＰＳ紀元時を斟酌して）からＧＰＳ開始時間（１９８０年１月６日の００：００：００）を減算し、その差を秒で表し、その結果にフレームレートＲfを乗算することにより決まる二進数とすることができる。新しいＧＰＳ紀元時は１０２４週ごとに開始される。第２の紀元時は、１９９９年８月２１日と８月２２日の間の真夜中の１２時に始まった。
【００９４】
レイヤー２へＳＣＣＨを介してレートＲfで送られるＡＬＦＮは、時間が重要なプログラミングの伝送スケジューリングに使用される。それは送信信号の一部として放送されない。
【００９５】
各Ｌ１フレームは、持続時間Ｔbの１６個のＬ１ブロックを含むものと考えることができる。Ｌ１ブロックカウント（ＢＣ）は、Ｌ１フレーム内の現在のＬ１ブロックの位置を示す。Ｌ１ブロックのカウントが０であれば、これはＬ１フレームのスタートを示し、ＢＣが１５であればＬ１フレーム内の最終的なＬ１ブロックを示す。
【００９６】
ＢＣはレイヤー２へＳＣＣＨを介してレートＲbで送られる。それは基準サブキャリア上で放送され、受信機が同期をとる補助手段として使用する。
【００９７】
図１１はＬ１フレームに対するＬ１ブロックの関係を示す。一次側波帯及び二次側波帯は振幅を独立にスケーリングされる。一次側波帯スケール係数ａ0及びａ1は、サービスモードの選択により決まる固定スケール係数である。４つの振幅スケール係数ａ2乃至ａ5のうちの１つは、全ての二次側波帯に適用するために放送会社により選択される。二次側波帯振幅スケール係数セレクト（ＡＳＦ）はＬ２からＳＣＣＨを介して受信する。ハイブリッドまたは拡張ハイブリッド波形を送信する時は、このフィールドは無視される。全デジタル波形を送信する時は、レイヤー１のサービスを中断せずにＬ１フレーム境界の所でＡＳＦへの変更を継ぎ目なしに行うことができる。
【００９８】
一次システム制御データ時系列は予約と表示された３つのビットを含み、二次システム制御データ時系列は予約と表示された６つのビットを含む。これらのビットは、一次予約制御データインターフェイス及び二次予約制御データインターフェイスを介してＬ１の上方のレイヤーにより制御される。
【００９９】
論理チャンネルは、特定等級のサービスでＬ１ ＳＤＵをレイヤー１を介して導く信号経路である。一次論理チャンネルはＰ１、Ｐ２、Ｐ３及びＰＩＤＳである。二次論理チャンネルはＳ１、Ｓ２、Ｓ３、Ｓ４、Ｓ５及びＳＩＤＳである。論理チャンネルはそれらの特性パラメータにより規定され、サービスモードにより構成される。
【０１００】
所与のサービスモードについては、特定の論理チャンネルのサービス等級は３つの特性パラメータ、即ち、転送、ラテンシー及びロバスト性を用いて一義的に量定できる。チャンネル符号レート、インターリーバー深さ、ダイバーシティ遅延及びスペクトルマッピングは特性パラメータを決定する。
【０１０１】
転送は論理チャンネルのスループットを決定する。レイヤー１のブロック指向動作（インターリービングのような）は、連続した流れでなくて個別の転送フレームでデータを処理することを必要とする。その結果、スループットは、転送フレームサイズ（ビット数）及び転送フレームレート（Ｈｚ、または毎秒の転送フレーム数）で定義される。このレイヤー１のフレーミングはＬ１ ＳＤＵのアラインメントを事実上決定する。
【０１０２】
各転送フレームはその転送フレーム数Ｆnm1:m2より一義的に識別されるが、ｎはその転送フレームが関連するＡＬＦＮであり、ｍ１：ｍ２はＬ１フレームｎ内の転送フレームがまたがるＢＣレンジである。かくして、ＢＣレンジはＬ１フレーム内の転送フレームの位置を示す。この転送フレーム番号は送信されるＨＤラジオ信号の一部としては放送されない。
【０１０３】
全ての転送フレームは、以下の３つのレートのうちの１つでレイヤー１を導かれる。
【０１０４】
・Ｌ１フレームレート、Ｒf＝１／Ｔf
・Ｌ１ブロックレート、Ｒb＝１／Ｔb
・Ｌ１ブロックペアレート、Ｒp＝１／Ｔp
Ｌ１フレームレートに対する転送フレームレートの比率を転送フレーム率と呼ぶ。転送フレーム率が１では、ＢＣレンジは常に０：１５である。転送フレーム率が１６であれば、ＢＣレンジは常に０と１５の間の単一の整数である。レイヤー２とレイヤー１の間の信号の転送を図１１に示す。転送フレームレートの関係を図１２に示す。
【０１０５】
図１３は、分割されない転送フレーム１８０、ブロック対に分割された転送フレーム１８２、及びブロックに分割された転送フレーム１８４を示す。
【０１０６】
スペクトルマッピング及びチャンネル符号レートは、スペクトルマッピングが容量を制限し、符号化オーバーヘッド及び情報スループットを制限するため論理チャンネルの転送を決定する。インターリーバー深さは係数の１つであるが、その理由は、転送フレームが通常は、それらの論理チャンネルのインターリーバー深さに相当するレートでレイヤー１を導かれるからである。
【０１０７】
ラテンシーは、転送フレームがレイヤー１を横切る際に論理チャンネルがその転送フレームに加える遅延である。論理チャンネルのラテンシーは、そのインターリーバー深さとダイバーシティ遅延の和として定義される。それは、レイヤー１における処理遅延を含まず、また上方のレイヤーに加えられる遅延も含まない。
【０１０８】
インターリーバー深さは、インターリーバーにより論理チャンネルに加えられる遅延量を決定する。システムの一実施例は、３つのインターリーバー深さ、即ち、Ｌ１ブロック、Ｌ１ブロック対、及びＬ１フレームを用いる。ダイバーシティ遅延もまた一部の論理チャンネル上で使用される。
【０１０９】
高位のレイヤーは、サービスモードの選択により所要のラテンシーで情報を論理チャンネルに割当てる。６つのラテンシーがシステムについて特定される。
【０１１０】
ロバスト性は、論理チャンネルがノイズ、干渉及びフェージングのようなチャンネル障害に耐える能力である。ＦＭエアインターフェイスのレイヤー１にはロバスト性の１１個の相対的レベルが存在する。ロバスト性１はチャンネル障害に対する非常に高レベルの耐性を示し、ロバスト性１１はチャンネルに惹き起こされるエラーに対する低い許容度を示す。ラテンシーと同様に、レイヤー２はサービスモードを選択する前に論理チャンネルの必要とされるロバスト性を決定しなければならない。
【０１１１】
スペクトルマッピング、チャンネル符号レート、インターリーバー深さ及びダイバーシティ遅延は、論理チャンネルのロバスト性を決定する。スペクトルマッピングは、論理チャンネルの相対的電力レベル、スペクトル干渉保護及び周波数ダイバーシティを設定することによりロバスト性に影響を与える。チャンネル符号化は、論理チャンネルに冗長性を導入することによりロバスト性を増加させる。インターリーバー深さは、マルチパスフェージングの性能に影響を与えることにより論理チャンネルのロバスト性に影響を及ぼす。最後に、ある特定のサービスモードにある一部の論理チャンネルは、転送フレームを固定持続時間だけ遅延させることにより時間ダイバーシティを実現する。このダイバーシティ遅延もロバスト性に影響を与えるが、その理由は、移動体ラジオチャンネルの効果を軽減するからである。
【０１１２】
Ｌ１ ＳＡＰでの論理チャンネルの情報スループットは、これらの表及び下式を用いて算定することが可能である。
スループット（ビット／秒）＝転送フレームサイズ（ビット）・転送フレームレート（Ｈｚ）
【０１１３】
所与のサービスモードでは、図１４−１７に示すように、各論理チャンネルはＯＦＤＭサブキャリアまたは周波数区分の１つのグループに適用される。これらの図において、注釈付きの周波数はチャンネルの中心周波数からのオフセットを表す。
【０１１４】
論理チャンネルは共通の絶対時間基準を共有するため、全ての転送フレームはそれらがＬ１ ＳＡＰに入る時に正確な整列関係となる。各転送フレームには唯一無二の転送フレーム番号Ｆnm1:m2が割当てられるが、ｎはＡＬＦＮ、ｍ１：ｍ２は番号を付けられたＬ１フレーム内の転送フレームの位置を示す。この番号付け方式により、全ての転送フレームを絶対送信時間を基準として考えることができる。
【０１１５】
図１８乃至２０は、各サービスコードについてＬ１ ＳＡＰで受信される全ての転送フレームのタイミング及びアラインメントまたは整列関係を示す。これらの図は、サービスモードに応じて論理チャンネルが一様でない持続時間の転送フレーム、即ち、Ｌ１フレーム（Ｔf）、Ｌ１ブロック対（Ｔp）またはＬ１ブロック（Ｔb）で情報を運ぶことを示す。各図は、ＡＬＦＮｎにおいて任意のＬ１フレーム境界の周りの幾つかのＬ１フレームにまたがる。各Ｌ１フレーム境界において、転送フレームは正確な整列関係にある。レイヤー１サービスアクセスポイント（ＳＡＰ）は、ＡＭ及びＦＭシステムの両方に共通の、レイヤー２とレイヤー１の間のパラメータ化された概念的インターフェイスである。それはプロトコルスタックの構造を理解する手助けとなる。それは特定の実施例を意味するが、レイヤー１とレイヤー２の間を流れるサービスの形式的な定義及びそれらの用途を与える。
【０１１６】
ＳＡＰを基本要素を用いて説明する。各基本要素は、特定タイプの情報（制御及び／またはユーザーコンテンツ）と特定のＬ１論理チャンネルまたはＬ１それ自体との交換を説明する。受信機主体へ変化なしに運ぶべきＬ２ユーザーコンテンツを、サービスデータユニットまたはＳＤＵと呼ぶ。ＳＤＵは、Ｌ１がそのＬ１により適用されるＩＮＤ基本要素を用いてリクエストするものである。Ｌ２は、リクエストされたデータを運ぶＲＥＳＰ（応答）基本要素で応答する。レイヤー１とレイヤー２の間で交換される他のものとして制御情報があるが、波形の一部として送信される場合もあるしそうでない場合もある。
【０１１７】
各論理チャンネルのビットは、時間領域データをランダム化し、受信機の同期を助けるためにスクランブリングされる。図１８に示すように、各論理チャンネル１個ずつの合計１０個の並列スクランブラーが存在する。
【０１１８】
スクランブラーへの入力は、サービスモードにより選択される、Ｌ１ ＳＡＰからのアクティブ論理チャンネルである。これらの入力は個別の転送フレームで運ばれる。スクランブラーの出力は、各アクティブ論理チャンネルのスクランブリング済みビットの転送フレームである。これらの転送フレームは、前方誤り訂正のためにチャンネル符号化プロセスへ送られる。
【０１１９】
全ての並列スクランブラーは同一であるが、アクティブサービスモードに応じて異なるレートで動作する。図１９はスクランブラーの概略図である。各スクランブラーは、基本多項式Ｐ（ｘ）＝１＋ｘ2＋ｘ11を有する線形フィードバックシフトレジスタ１９０を用いて最大長スクランブリング時系列を発生する。スクランブリング済み転送フレームの所与のビットは、関連の入力ビットをスクランブリング時系列の対応ビットに加えるモジュロ−２により発生される。
【０１２０】
スクランブリング済み転送フレームの第１のビットは、シフトレジスタが初期状態に設定されると発生するスクランブリングビットに入力転送フレームの第１のビットを加算するモジュロ−２により発生される。その後、このプロセスは入力転送フレームの最後のビットがスクランブリングされるまで継続される。
【０１２１】
チャンネル符号化により、チャンネル障害の存在下で信号のロバスト性が増加するため、システム性能が改善される。図２０に示すように、チャンネル符号化プロセスは２つの主要な動作、即ち、時間遅延２００（ダイバーシティ遅延及び送信アラインメントのため）及び畳込み符号化２０２により特徴付けられる。
【０１２２】
チャンネル符号化プロセスへの入力は、アクティブ論理チャンネルを介して運ばれるスクランブリン済みビットの転送フレームである。チャンネル符号化プロセスの出力は、各アクティブ論理チャンネルに関連する符号化ビットの転送フレームである。出力転送フレームはインターリービング機能へ送られる。
【０１２３】
これに続くセクションでは、表示の便宜のため、特定の処理段の論理チャンネルベクトルをそれらの下付き文字により速記表示で表す。
【０１２４】
サービスモードに応じて、論理チャンネルＰ１及びＳ１を２つのチャンネルに分割し、それらがチャンネル符号化プロセスに入る時に遅延することができる。この遅延は影響を受ける論理チャンネルに時間ダイバーシティを与える。その場合、ダイバーシティ遅延の値はＮdd・Ｔfで固定されるが、Ｎddは転送フレームの数であり、Ｔfは転送フレームの持続時間である。送信アラインメントと呼ぶ付加的な遅延をダイバーシティ遅延信号に加えることにより、遅延済みチャンネル（Ｐ１´及びＳ１´）が同じコンテンツで遅延なしのチャンネル（Ｐ１及びＳ１）に関して時間的に正確に配置されるようにして、受信機におけるダイバーシティの結合を調整する。
【０１２５】
畳込み符号化には、３つの基本動作、即ち、マザーコードの発生、パンクチャリング及び並列−直列変換が含まれる。これらの動作についてそれぞれ以下に説明する。
【０１２６】
畳込み符号化器は、セレクト発生器の多項式を用いて一群のマザーコードを形成する。レート１／ｎ畳込み符号化器は、入力ビットｓi毎に（ｉ＝０，１，Ｋ，Ｎ−１）、ｎ個の符号化ビットｇh,,iを出力し、ｎ×Ｎの符号ワード行列Ｇを発生させる。
2006501724.tif 000003
上式において、ＮはＳの長さ、ｈ＝１，２，Ｋ、ｎは所与の入力ビットの符号ワードビットをインデックスする。ＦＭシステムにおいて、ｎ＝３または４である。Ｇの各列は所与の入力ビットの符号化済み出力を表す。
【０１２７】
一部のサービスモードは、わずかに高い符号レートを発生させて、同じ物理的帯域幅を介する高い情報レートを可能にするために、マザー符号ワードのパンクチャリングを必要とする。符号ワード行列Ｇは、パンクチャ周期Ｐにわたりパンクチャリングされる。各Ｐ符号化ビットについて、ある特定のビットｇh,iは送信されない。パンクチャ周期にわたり符号化ビットをまたぐパンクチャ行列は、何れの符号化ビットを送信するかを決定する。転送フレームの全ての符号化ビットにわたりパンクチャ行列を繰り返すと、パンクチャパターンが形成される。
【０１２８】
マザー符号ビットを適当にパンクチャリングした後、並列−直列コンバータによりＧの列をつなぎ合わせて以下のような単一ベクトルＧにすることによりそれらを多重化する。
2006501724.tif 000004
別のシリアル符号化ビット時系列として以下のものがある。
2006501724.tif 000005
【０１２９】
所与の転送フレームの最後の６ビットにより、その転送フレームの対応する畳込み符号化器の遅延要素を初期化する。符号化ブロックを規定する転送フレームの使用は、種々の論理チャンネル間のアラインメントを維持する上で重要である。
【０１３０】
各サービスモードにおける各論理チャンネルのチャンネル符号化プロセスを、以下において特定する。サービスモードＭＰ１では、Ｐ１及びＰＩＤＳ論理チャンネルだけがアクティブである。サービスモードＭＰ２、ＭＰ３及びＭＰ４では、Ｐ１、Ｐ３及びＰＩＤＳ論理チャンネルだけがアクティブである。
【０１３１】
サービスモードＭＰ５では、Ｐ１、Ｐ２、Ｐ３及びＰＩＤＳ論理チャンネルだけがアクティブである。サービスモードＭＰ６では、Ｐ１、Ｐ２、ＰＩＤＳ論理チャンネルだけがアクティブである。サービスモードＭＰ７では、Ｐ１、Ｐ２、Ｐ３及びＰＩＤＳ論理チャンネルだけがアクティブである。サービスモードＭＳ１では、Ｓ４、Ｓ５及びＳＩＤＳ論理チャンネルだけがアクティブである。サービスモードＭＳ２では、Ｓ１、Ｓ２、Ｓ３、Ｓ５及びＳＩＤＳチャンネルだけがアクティブである。サービスモードＭＳ３では、Ｓ１、Ｓ２、Ｓ５及びＳＩＤＳ論理チャンネルだけがアクティブである。サービスモードＭＳ４では、Ｓ１、Ｓ２、Ｓ３、Ｓ５及びＳＩＤＳ論理チャンネルだけがアクティブである。
【０１３２】
図２１に示すように、インターリービングは６つの並列インターリービングプロセス（ＩＰ）即ち、ＰＭ、ＰＸ、ＳＭ、ＳＸ、ＳＰ及びＳＢより成る。ＩＰは１またはそれ以上のインターリーバーを含み、場合によっては転送フレームマルチプレクサを含む。インターリービングプロセス（ＩＰ）は、１またはそれ以上の符号化転送フレーム（ベクトル）に対して、それらのビットの順序を変更して内容が送信スペクトルの特定の部分に向けられる１またはそれ以上のインターリーバー行列にするために行う一連の操作である。
【０１３３】
サービスモードは、何れの入力及びＩＰが任意所与の時間でアクティブであるかを決定する。さらに、Ｐ３論理チャンネルがアクティブであるサービスモードについては、Ｌ２から得られるＰ３ＩＳ制御ビットが長いインターリーバーか短いインターリーバーの何れを用いるかを決定する。インターリービングのための入力全体は、一次論理チャンネルＰ１乃至Ｐ３及びＰＩＤＳ及び二次論理チャンネルＳ１乃至Ｓ５及びＳＩＤＳからのチャンネル符号化された転送フレームである。
【０１３４】
全てのアクティブ並列ＩＰからのビットのインターリーバー行列は、各インターリーバー行列からの１行のビットをそれに関連する上及び下側波帯にマッピングするＯＦＤＭサブキャリアマッピングに送られる。
【０１３５】
インターリーバーは、入力としてビットのベクトルをとり、順序を変更したビットの行列を出力する機能である。送信前のビットの順序変更により、信号の漸移及び干渉により生じるバースト誤りの影響が軽減される。
【０１３６】
インターリーバー機能は、チャンネル符号化ビットのベクトルの順序を変更するために二次元の行列を用いる。インターリーバーにより、個々の符号化ビットまたは符号化ビットの群をインターリーバー行列内の特定のインターリーバー区分に差し向けることができる。インターリーバー区分は、小さな独立したインターリーバーとみることができる。
【０１３７】
図２２は、ＰＭ ＩＰにより使用されるインターリーバー行列を示す。このインターリーバー行列は２０個のインターリーバー区分を含む。一般的に、インターリーバー行列はＪ個のインターリーバー区分に分割される。各インターリーバー区分はＢ個のインターリーバーブロックに分割される。インターリーバーブロックは３２個の行とＣ個の列にまたがる。かくして、所与のインターリーバー行列の各インターリーバー区分の大きさは（Ｂ・３２）×Ｃである。ＩＰ内の所与のインターリーバーについては、インターリーバー行列のサイズはサービスモードにより変わる。インターリーバー区分はインターリーバー行列全体を論理的に再分割したものである。各インターリーバー区分はＣ個の列（Ｃ＝２４または３６）と、３２・Ｂ個の行（Ｂはインターリーバーブロックの数と）を含む。
【０１３８】
各インターリーバーへの入力は、ｉ＝０，１，…，Ｎ−１の指標を付けたチャンネル符号化ビットのベクトルである。各インターリーバーの出力は、ＯＦＤＭサブキャリアマッピングを受けることになるビットの（Ｂ・３２）×（Ｊ・Ｃ）行列である。
【０１３９】
インターリーバー行列の場所への各符号化ビットのマッピングは、１組の方程式を用いて計算される。本発明を組み込むことのできるデジタル放送システムの一実施例では、種々のチャンネルで信号を処理するために用いるインターリーバーとして４つのタイプがある。
【０１４０】
本発明は、ＤＡＢシステムにおいてインターリーバー機能のうちの１つを提供する畳込みインターリーバーにかかわる。畳込みインターリーバーとしてセットされるインターリーバー方程式を以下に示す。表３は、畳込みインターリーバー方程式の種々のパラメータを示す。
【０１４１】
表３．インターリーバーパラメータ
インターリーバー        インターリーバーパラメータの定義
パラメータ
Ｊ            インターリーバー行列毎のインターリーバー区分の数
Ｂ            インターリーバー行列毎のインターリーバーブロックの数
Ｃ            インターリーバーブロック毎の列数
Ｍ            インターリーバー区分の割当ての計算に用いるファクタ
ｖ            インターリーバー行列におけるインターリーバー区分の
相対的順序の変更を制御するための区分割当てベクトル
Ｂ            転送フレーム毎のビット数
Ｎ            インターリーバー入力時系列毎のビット数。
多数の転送フレームにまたがることがある。
【０１４２】
畳込みインターリーバーについては、インターリーバー行列への書込みが行われる毎にインターリーバー行列からの読出しがそれに続いて起こる必要がある。インターリービング中のビットの総数は転送フレームサイズより大きいため、この流れを管理するための別の行列を必要とする。かくして、畳込みインターリーバーに関連する用語を以下に示す。
・内部インターリーバー行列−インターリーバー方程式セットを用いてビットを書込み、ビットを行にわたって次々に読出す大きさ（Ｂ・３２）×（Ｊ・Ｃ）のインターリーバー行列。この行列を充填するには多数の転送フレームが要ることがある。Ｎ個のビットを処理した後に一杯の状態となる。
・出力インターリーバー行列−内部インターリーバー行列
から読出されたｂ個のインターリービング済みビットを含む大きさ
2006501724.tif 000006
の行列。この行列のビット数は入力転送フレームのサイズまたはパラメータｂに等しい。この行列には行０、列０でスタートして各行にわたってビットが書込まれる。インターリーバー行列毎の転送フレーム数はＮ／ｂに等しい。
【０１４３】
所与の畳込みインターリーバーについては、長さＮの入力時系列の各符号化ビットを処理するために必要なステップは下記の通りである。
１．以下に示す表４及び５を用いてパラメータＪ、Ｂ、Ｃ、Ｍ、ｖ、ｂ及びＮに値を割当てる。
２．区分割当てカウンタベクトルｐｔを全て０に初期化する。このベクトルの長さはＪに等しい。
３．各ｉ＝０乃至Ｎ−１について、
・下記の方程式に基づく計算済みビットアドレスを用いてビットを内部インターリーバー行列に書込む。partitioniを計算し、ｐｔ「partitioni」をフェッチし、blocki、rowi及びcolumniを計算する。内部インターリーバー行列のこの場所にｉ番目の入力ビットを書込む。
【０１４４】
・内部インターリーバー行列の以下の行及び列からビットを読出す。
readRow=INT(i MOD C)
readColumn= i MOD C
・内部インターリーバー行列から読出したビットを出力インターリーバー行列の下記の行及び列に書込む。
writeRow=INT((i MOD b)MOD C)
writeColumn=(i MOD b)MOD C
・ｐｔ「partitioni」をインクリメントする。
【０１４５】
インターリーバー方程式を以下に示す。本発明のインターリーバーは、Ｐ３ＩＳ＝１の時にＰＸ ＩＰが使用してＰ３G転送フレームをインターリービングすることができる。本発明の実施するためには、インターリーバーブロックのビット数を表す支援パラメータを最初に定義する。
Bk_bits=32・C
【０１４６】
次に、第２の支援パラメータを定義する。
Bk_adj=32・C-1
【０１４７】
下式を用いてインターリーバー区分割当てを検索するためにｖへの指標を計算することができる。
2006501724.tif 000007
partitioni=ｖ[partIndexi]
【０１４８】
区分割当てカウンタのベクトルｐｔは、区分の数に等しい長さの各カウンタにより割当てることができる。partitioniにとって適当なカウンタは下記の通りである。
pti=pt[partitioni]
所与の区分のための区分割当てカウンタを、その区分への割当てが行われる度にインクリメントする。各区分割当てカウンタの初期値は０に設定する。
【０１４９】
適用可能なパラメータを用いて、インターリーバー区分内のブロック割当てを下記の方程式を適用することにより決定する。
2006501724.tif 000008
【０１５０】
インターリーバーブロック内の行割当てを適用可能なパラメータを用い、下記の方程式を適用して決定する。
2006501724.tif 000009
【０１５１】
インターリーバーブロック内の列割当てを適用可能なパラメータを用い、下記の方程式を適用して決定する。
columni=(pti・11)MOD C
【０１５２】
一次メインインターリービングプロセス（ＰＩ）は、図２乃至図４の示す一次メイン側波帯にマッピングされたビットをインターリービングする。このＩＰは、全ての一次サービスモード（ＭＰ１乃至ＭＰ７）においてアクティブである。ＰＭ ＩＰは、多数の論理チャンネルを単一のインターリーバー行列ＰＭに分散させる。
【０１５３】
インターリービングプロセスは、その出力で特定の転送フレームのアラインメント及び同期状態を維持しなければならない。所与の論理チャンネルについて、ＢＣレンジｍ１：ｍ２は、指定された転送フレームか何れのＬ１ブロックにまたがるかを示す。ＡＬＦＮ ｎは絶対Ｌ１フレーム番号である。
【０１５４】
図２３は、Ｐ３ＩＳ＝１の時のサービスモードＭＰ２乃至ＭＰ４のＰＸ ＩＰを示す。これらのサービスモードにおいて、ＰＸ ＩＰはＰ３G転送フレームを内部インターリーバー行列にインターリービングし、それらを本発明のインターリーバーを用いてＰＸ１（出力インターリーバー行列）に出力する。サービスモードにより異なるインターリーバーパラメータ値を表４及び５に示す。転送フレームレートは共通であるが、Ｐ３G転送フレームのサイズはサービスモードにより変わる。従って、ＰＸ１インターリーバー行列のインターリーバー区分の数も変化する。
【０１５５】
表４．ＰＸ１インターリーバーパラメータ値−Ｐ３ＩＳ＝１の時のサービスモード
ＭＰ２乃至ＭＰ４
サービス  Ｊ  Ｂ    Ｃ    Ｍ      Ｖ              ｂ      Ｉ0        Ｎ
モード
ＭＰ２    ２  ３２  ３６  ４  [0,1]              4608    Ｎ／Ａ    73728
ＭＰ３    ４  ３２  ３６  ２  [0,1,2,3]          9216    Ｎ／Ａ    147456
ＭＰ４    ８  ３２  ３６  １  [0,1,3,2,4,5,7,6]  18432    Ｎ／Ａ   294912
【０１５６】
内部のインターリーバー行列のサイズは１６個のＰ３G転送フレームであるが、このインターリーバーは一度に１個のＰ３G転送フレームを処理するものとして説明する。インターリーバーが使用する内部インターリーバー行列に１ビットが書込まれる度に、この行列から１ビットが順次読出され、ＰＸ１に順次出力される。ＰＸ１のサイズはＰ３ＩＳ＝０のケースと一致させるために１個のＰ３G転送フレームの長さに等しい。従って、インターリーバーにより処理されるＰ３G転送フレーム毎に、ＰＸ１出力行列が完全に充填される。このようにこのプロセスを説明すると、以下に述べるサブキャリアマッピング手順がＰ３ＩＳの状態に対して完全にトランスパレントになる。インターリーバーが１６個のＰ３G転送フレームを処理し、１６個のＰＸ１行列が充填され出力されると、内部インターリーバー行列は完全に充填され、処理の流れがリセットされる。
【０１５７】
実用的な用途では、インターリーバーは畳込み型であるため、インターリーバーへ入力され、それから出力されるビットの数は内部インターリーバー行列の容量であるＮより小さいかそれに等しい任意の長さでよい。内部インターリーバー行列の考え方を表示の目的のために説明する。
表５．ＰＸインターリーバーパラメータ値−Ｐ３ＩＳ＝１の時のサービスモード
ＭＰ５及びＭＰ７
サービスモード  Ｊ    Ｂ    Ｃ  Ｍ      Ｖ        ｂ    Ｉ0      Ｎ
ＭＰ５        ４  ３２  ３６  ２  [0,1,2,3]    9216  Ｎ／Ａ  147456
ＭＰ７        ４  ３２  ３６  ２  [0,1,2,3]    9216  Ｎ／Ａ  147456
【０１５８】
上位のレイヤーの指示の下に、システム制御処理は、各基準サブキャリアに向けられたビット時系列（システム制御データ時系列）を編成し、差動符号化する。ＯＦＤＭスペクトル全体を通して最大６１個の基準サブキャリア（番号０−６０）が分布する。所与の波形で放送される基準サブキャリアの数はサービスモードにより異なる。しかしながら、システム制御処理は、サービスモードとは無関係に６１個全てのシステム制御データ時系列を常に出力する。
【０１５９】
システム制御データ時系列アセンブラーにより編成される３２×６１行列ｒの各列のビットは、図２４に従って差動符号化され、同じ順序で行列ｒに出力される。このプロセスは、概念的に、６１個の並列差動符合化器とみることができる。個々の差動符号化器については、ｒの単一列ｊのビットはｉ＝０…３１のように逐次処理される。１つのシステム制御データ時系列ビットは一度に差動符号化器に入力される。この入力ビットは、最も最近の出力ビットR[i] [j]を形成するために前に保存された出力ビットR[i-1] [j]と共に加算されるモジュロ−２である。その結果得られる出力ビットの流れは、入力ビットが１になる度に極性を逆転させる。各差動符号化器の初期状態は０である。
【０１６０】
ＯＦＤＭサブキャリアマッピングにより、インターリーバー区分が周波数区分に割当てられる。各アクティブインターリーバー行列について、ＯＦＤＭサブキャリアマッピングにより各インターリーバー区分からの１行のビットが複素出力ベクトルＸのそれぞれの周波数区分に割当てられる。加えて、Ｒの１行からのシステム制御データ時系列ビットがＸのアクティブ基準サブキャリア位置にマッピングされる。サービスモードは、何れのインターリーバー行列及びＲの何れの要素がアクティブであるかを決定する。図２５は、ＯＦＤＭサブキャリアマッピングの入力、出力及びコンポーネント機能を示す。
【０１６１】
ＯＦＤＭサブキャリアマッピングへの入力は、各アクティブインターリーバー行列からの１行のビットと、システム制御データ時系列の行列であるＲからの１行のビットである。
【０１６２】
各ＯＦＤＭシンボルについてＯＦＤＭサブキャリアマッピングからの出力は、長さ１０９３の単一複素ベクトルＸである。このベクトルは、ｋ＝０，１，２…，１０９２の指標をつけられている。Ｘのｋ番目の要素はサブキャリア（ｋ−５４６）に対応する。
2006501724.tif 000010
Ｒの１行及び各アクティブインターリーバー行列からの関連行のアクティブ要素は、Ｘの同一インスタンスに割当てられる。
【０１６３】
信号コンスタレーションマッパーは、インターリーバー区分から読出されたビット対及びＲから読出された個々のビットを複素コンスタレーション値に変換する。スケーラー機能は適当な振幅利得係数をこれらの複素値に適用する。利得係数は所望の信号レベルにより決定される。ＯＦＤＭサブキャリアマッパーは、スケーリンング済み複素コンスタレーション値を出力ベクトルＸの適当な要素にマッピングする。未使用のサブキャリアに対応するＸの要素は、複素値０＋ｊ０に設定される。
【０１６４】
各アクティブインターリーバー行列について、１行のビットがＴｓ毎に処理される。これらの行は第１行（行０）からスタートして順次処理される。インターリーバー行列の全ての行が処理されると、そのインターリーバー行列の次のインスタンスが第１行からスタートして処理される。
【０１６５】
インターリーバー行列の所与の行について、ビットがインターリーバー区分により処理される。インターリーバー区分内の隣接する列の対は、周波数区分内の個々の複素直交位相シフトキーイング（ＱＰＳＫ）変調データサブキャリアにマッピングされる。このマッピングは逐次進行する。インターリーバー区分の最初の２つの列（０及び１）が周波数区分の最初のサブキャリア番号にマッピングされ、インターリーバー区分の最後の２つの列が周波数区分の最後のサブキャリア番号にマッピングされる。
【０１６６】
インターリーバー区分内の隣接する列の各対をベクトルＸ内のサブキャリア位置にマッピングするために、以下のステップを実行する。
１．インターリーバー区分内の隣接する列から１対のビットを読み取る。所与の列対につき、指標が下位の列から読出したビットをＩビットとしてマッピングし、指標が高位の列から読出したビットをＱビットとしてマッピングする。
２．ステップ１からのビット対を複素コンスタレーション値にマッピングする。Ｉビットをコンスタレーション値の実数成分にマッピングし、Ｑビットを虚数成分にマッピングする。
３．ステップ２からの複素コンスタレーション値のＩ及びＱ成分を適当な振幅スケール係数を用いてスケーリングする。振幅スケール係数はサブキャリア位置に基づき、また、二次側波帯では、ＡＳＦの値に基づき選択される。
４．ステップ３からのスケーリング済みコンスタレーション値をＸの適当な要素にマッピングする。
【０１６７】
基準サブキャリア行列Ｒを一度に１行読出し、Ｒの１行をＴs毎に処理する。Ｒの各行は０−６０の指標を付けられた長さ６１のビットベクトルである。このベクトルの選択されたビットをサービスモードに従って基準サブキャリアにマッピングする。
【０１６８】
出力ベクトルＸは複素値を含むため、Ｒの１行をＸの１つの要素にマッピングするために以下のステップを実行する。
１．Ｒの行ベクトルからビット値を読出す。
２．そのビットを複素二進位相シフトキーイング（ＢＰＳＫ）変調コンスタレーション値にマッピングする。
３．複素コンスタレーション値のＩ及びＱ成分を適当な振幅スケール係数を用いて、そして二次サブキャリアでは、ＡＳＦの状態に応じてスケーリングする。
４．スケーリング済みコンスタレーション値を現在のサービスモードにつきＸの適当な要素にマッピングする。
【０１６９】
ＯＦＤＭ信号発生機能は、ＯＦＤＭサブキャリアマッピングから複素周波数領域ＯＦＤＭシンボルを受けて、ＦＭ信号のデジタル部分を表す時間領域パルスを出力する。図２６はＯＦＤＭ信号発生機能の概念的なブロック図である。
【０１７０】
ＯＦＤＭ信号発生機能への入力は長さＬの複素ベクトルＸnであり、ＯＦＤＭシンボルｎの各ＯＦＤＭサブキャリアの複素コンスタレーション値を表す。表示の便宜のために、上述したＯＦＤＭサブキャリアマッピングの出力は下付き文字ｎを使用しなかった。その代わりに、ベクトルＸを対して単一のＯＦＤＭシンボルを表すものとする。以下の説明において下付き文字をＸに付加するが、これはＯＦＤＭ信号発生機能に対するｎの重要性のためである。
【０１７１】
ＯＦＤＭ信号発生機能の出力は複素ベースバンド時間領域パルスｙn（ｔ）であり、ＯＦＤＭシンボルｎのＦＭ ＨＤラジオ信号のデジタル部分を表す。Ｘn［ｋ］をｎ番目のシンボルのＯＦＤＭサブキャリアマッピングからのスケーリング済みコンスタレーションポイントであるとする（ｋ＝０，１，…，Ｌ−１はＯＦＤＭサブキャリアの指標である）。ｙn（ｔ）をｎ番目のシンボルのＯＦＤＭ信号発生機能の時間領域出力を示すものとする。そうすると、ｙn（ｔ）は以下のようにＸn［ｋ］を用いて書くことができる。
【０１７２】
2006501724.tif 000011
上式において、ｎ＝０，１，…，∞であり、
2006501724.tif 000012
Ｌ＝１０９３はＯＦＤＭサブキャリアの総数であり、Ｔｓ及びΔｆはそれぞれＯＦＤＭシンボルの持続時間及びＯＦＤＭサブキャリア間隔である。
パルス整形関数ｈ（ξ）を下記のように定義する。
2006501724.tif 000013
上式において、αは反復する接頭語幅であり、Ｔ＝１／ΔｆはＯＦＤＭサブキャリア間隔の逆数である。
【０１７３】
送信サブシステムは、ＶＨＦチャンネルを介して送信するためにベースバンドＦＭ波形をフォーマットする。機能には、シンボル連結及び周波数上方変換が含まれる。さらに、ハイブリッドまたは拡張ハイブリッド波形を送信する時、この機能によりデジタル波形との結合前にベースバンドアナログ信号が変調される。
【０１７４】
このモジュールへの入力は、ＯＦＤＭ信号発生機能からの複素ベースバンド時間領域ＯＦＤＭシンボルｙn（ｔ）である。ベースバンドアナログ信号ｍ（ｔ）もまた、ハイブリッドまたは拡張ハイブリッド波形を送信する時は、オプションとしての補助通信許可権（ＳＣＡ）信号と共にアナログソースから入力される。このモジュールの出力はＶＨＦ ＦＭ波形である。
【０１７５】
全デジタル送信サブシステムの機能ブロック図としては図２７を、また、ハイブリッド及び拡張ハイブリッド送信サブシステムの機能ブロック図としては図２８を参照されたい。
【０１７６】
ハイブリッドまたは拡張ハイブリッド波形を放送する時は、アナログ変調ＦＭ ＲＦ信号がデジタル変調ＲＦ信号と結合されてＶＨＦ ＦＭ波形ｓ（ｔ）が発生される。サービスモードＭＰ１−ＭＰ４を放送する時、上位のレイヤーはアナログ信号とデジタル信号の間に正確なタイミング関係を確立する。この場合、他の任意のハイブリッドまたは拡張ハイブリッド波形へサービスモードが変化しても、アナログ信号には中断または不連続部分は決して生じない。サービスモードＭＰ５−ＭＰ７では、正確なタイミング関係は不要である。波形のアナログ及びデジタル部分は同じキャリア周波数上に中心を有する。
【０１７７】
本発明は、デジタル音声放送システムにおいてデータ及び／または音声を表すデジタル信号ビットをインターリービングする方法を提供するが、この方法は、デジタル信号の複数のビットを行列に書込み、それらのビットを行列から読出すステップより成り、書込み及び読出しステップのうちの少なくとも一方は非定常的なアドレス方式に従う。「非定常的アドレス方式」は、行列のアドレスを１またはそれ以上のパターン及び／または公式により割当て、これらのアドレスが連続する順序でないことを意味する。１組のかかる公式については上述した。
【０１７８】
行列のビット数は、デジタル信号の転送フレームのビット数に等しくすることができる。行列のこれらのビットは複数の区分に配列し、各区分は複数のブロックを含むことができる。
【０１７９】
各区分は論理チャンネルを表すビットの１つの群を含むことが可能であり、論理チャンネルのそれらのビットはスクランブリングにかけることができる。
【０１８０】
本発明は、デジタル音声放送システムにおいてデータ及び／または音声を表すデジタル情報を放送する方法であって、送信すべきデジタル信号の複数のビットを受信し、それらのビットを行列に書込み、その行列からそれらのビットを読出し、それらのビットを複数のキャリア信号にマッピングし、キャリア信号を送信するステップより成り、書込み及び読出しステップのうちの少なくとも一方は非順次アドレス方式に従う放送方法を包含する。
【０１８１】
これらのビットは、行列に書込むステップの前にそれらのビットをチャンネル符号化することができ、また、行列に書込むステップの前にそれらをスクランブリングすることができる。
【０１８２】
本発明は、別の局面において、デジタル音声放送システムにおいてデータ及び／または音声を表すデジタル信号をインターリービングする装置であって、送信すべきデジタル信号の複数のビットを受信する手段と、それらのビットを行列に書込む手段と、その行列からそれらのビットを読出す手段とより成り、書込み及び読出し手段のうちの少なくとも一方は非順次アドレス方式に従うインターリービング装置を提供する。これら全ては図１のマルチプレックスサブシステム２６の内部に含めることができる。
【０１８３】
本発明はさらに、図１に示すような、デジタル音声放送システムにおいてデータ及び／または音声を表すデジタル情報を放送する装置であって、送信すべきデジタル信号の複数のビットを受信する手段と、それらのビットを行列に書込む手段と、その行列からそれらのビットを読出す手段と、それらのビットを複数のキャリア信号にマッピングする手段と、キャリア信号を送信する手段とより成り、書込み及び読出し手段のうちの少なくとも一方は非順次アドレス方式に従う放送装置を包含する。
【０１８４】
本発明は、別の局面において、デジタル音声放送においてデータ及び／または音声を表すデジタル信号の受信ビットをデインターリービングする方法であって、デジタル信号の複数の受信ビットを行列に書込み、その行列からビットを読出すステップから成り、書込み及び読出しステップのうちの少なくとも一方は非順次アドレス方式に従うデインターリービング方法を提供する。
【０１８５】
本発明はさらに、デジタル音声放送システムにおいてデータ及び／または音声を表すデジタル情報を受信する方法であって、デジタル信号の複数のビットを受信し、それらのビットを行列に書込み、その行列からそれらのビットを読出し、読出したビットにより出力信号を発生させるステップより成り、書込み及び読出しステップのうちの少なくとも一方は非順次アドレス方式に従うデジタル情報の受信方法を包含する。デインターリービング方法及び受信方法は図１に示す受信機において実行できる。
【０１８６】
本発明はさらに、デジタル音声放送システムにおいてデータ及び／または音声を表すデジタル信号をデインターリービングする装置であって、デジタル信号の複数のビットを受信する手段と、それらのビットを行列に書込む手段と、その行列からそれらのビットを読出す手段とより成り、書込み及び読出し手段のうちの少なくとも一方は非順次アドレス方式に従うデジタル信号のデインターリービング装置を包含する。
【０１８７】
本発明は、別の局面において、デジタル音声放送システムにおいてデータ及び／または音声を表すデジタル情報を受信する装置であって、デジタル信号の複数のビットを受信する手段と、それらのビットを行列に書込む手段と、その行列からそれらのビットを読出す手段と、読出したビットにより出力信号を発生させる手段とより成り、書込み及び読出し手段のうちの少なくとも一方は非順次アドレス方式に従うデジタル情報の受信装置を提供する。デインターリービング及び受信装置は図１の受信機として示す。
【０１８８】
本発明を好ましい実施例に関連して説明したが、当業者にとって、図示説明した実施例は頭書の特許請求の範囲に規定された本発明の範囲から逸脱することなく種々の変形例及び設計変更が可能であることが理解されるであろう。
【図面の簡単な説明】
【０１８９】
【図１】デジタル音声放送システムに用いる送信機の機能ブロック図である。
【図２】ハイブリッドＦＭ ＩＢＯＣ波形の概略図である。
【図３】拡張型ハイブリッドＦＭ ＩＢＯＣ波形の概略図である。
【図４】全デジタルＦＭ ＩＢＯＣ波形の概略図である。
【図５】ＤＡＢ波形のサブキャリアの区分を表す概略図である。
【図６】ＤＡＢ波形のサブキャリアの区分を表す別の概略図である。
【図７】ＤＡＢ波形の下側波帯の基準サブキャリアを示す概略図である。
【図８】ＤＡＢ波形の上側波帯の基準サブキャリアを示す概略図である。
【図９】デジタル音声放送システムの送信機に用いるプロトコルスタックの機能ブロック図である。
【図１０】デジタル音声放送システムの送信機に用いるプロトコルスタックのモデム／物理レイヤーを示す機能ブロック図である。
【図１１】デジタル音声放送システムの送信機に用いるプロトコルスタックのレイヤー間インターフェイスを示す概略図である。
【図１２】ＤＡＢ信号のモデムフレームを示す概略図である。
【図１３】ＤＡＢ信号の種々のモデムフレームを示す概略図である。
【図１４】全デジタルＤＡＢ信号の二次的サブキャリアを示す概略図である。
【図１５】全デジタルＤＡＢ信号の二次的サブキャリアを示す概略図である。
【図１６】全デジタルＤＡＢ信号の二次的サブキャリアを示す概略図である。
【図１７】全デジタルＤＡＢ信号の二次的サブキャリアを示す概略図である。
【図１８】スクランブラーの機能的ブロック図である。
【図１９】スクランブラーの概略図である。
【図２０】符号化器の機能的ブロック図である。
【図２１】スクランブラーの機能的ブロック図である。
【図２２】インタリーバー行列の概略図である。
【図２３】本発明に従って構成されたインターリーバーの機能的ブロック図である。
【図２４】差動符号化器の概略図である。
【図２５】信号コンスタレーションマッパーの機能的ブロック図である。
【図２６】ＯＦＤＭ信号発生器の機能的ブロック図である。
【図２７】信号変換器の機能的ブロック図である。
【図２８】ＤＡＢ変調器の機能的ブロック図である。
【図１】
2006501724.tif 000014
【図２】
2006501724.tif 000015
【図３】
2006501724.tif 000016
【図４】
2006501724.tif 000017
【図５】
2006501724.tif 000018
【図６】
2006501724.tif 000019
【図７】
2006501724.tif 000020
【図８】
2006501724.tif 000021
【図９】
2006501724.tif 000022
【図１０】
2006501724.tif 000023
【図１１】
2006501724.tif 000024
【図１２】
2006501724.tif 000025
【図１３】
2006501724.tif 000026
【図１４】
2006501724.tif 000027
【図１５】
2006501724.tif 000028
【図１６】
2006501724.tif 000029
【図１７】
2006501724.tif 000030
【図１８】
2006501724.tif 000031
【図１９】
2006501724.tif 000032
【図２０】
2006501724.tif 000033
【図２１】
2006501724.tif 000034
【図２２】
2006501724.tif 000035
【図２３】
2006501724.tif 000036
【図２４】
2006501724.tif 000037
【図２５】
2006501724.tif 000038
【図２６】
2006501724.tif 000039
【図２７】
2006501724.tif 000040
【図２８】
2006501724.tif 000041
【手続補正書】
【提出日】平成16年9月20日(2004.9.20)
【手続補正１】
【補正対象書類名】特許請求の範囲
【補正対象項目名】全文
【補正方法】変更
【補正の内容】
【特許請求の範囲】
【請求項１】
デジタル音声放送システムにおいてデータ及び／または音声を表すデジタル信号ビットをインターリービングする方法であって、
デジタル信号の複数のビットを内部行列に書込み、
内部行列からビットを読出すステップから成り、書込み及び読出しステップのうちの少なくとも一方は非順次アドレス方式に従うインターリービング方法。
【請求項２】
出力行列内のビット数はデジタル信号の転送フレーム内のビット数に等しい請求項１の方法。
【請求項３】
内部行列内のビットは複数の区画に分けて配置されている請求項１の方法。
【請求項４】
各区画は複数のブロックより成る請求項３の方法。
【請求項５】
各区画は論理チャンネルを表すビット群を含む請求項３の方法。
【請求項６】
各論理チャンネル内のビットはスクランブルされる請求項５の方法。
【請求項７】
デジタル音声放送システムにおいてデータ及び／または音声を表すデジタル情報を放送する方法であって、
送信すべきデジタル信号の複数のビットを受信し、
それらのビットを内部行列に書込み、
内部行列からそれらのビットを読出し、
書込み及び読出しステップのうちの少なくとも一方は非順次アドレス方式に従い、
それらのビットを出力行列に書込み、
それらのビットを複数のキャリア信号にマッピングし、
キャリア信号を送信するステップより成る放送方法。
【請求項８】
出力行列内のビット数はデジタル信号の転送フレーム内のビット数に等しい請求項７の方法。
【請求項９】
内部行列内のビットは複数の区画に分けて配置されている請求項７の方法。
【請求項１０】
各区画は複数のブロックより成る請求項９の方法。
【請求項１１】
各区画は論理チャンネルを表すビット群を含む請求項９の方法。
【請求項１２】
各論理チャンネル内のビットはスクランブルされる請求項１１の方法。
【請求項１３】
デジタル信号のビットを内部行列に書込むステップの前にそれらのビットをチャンネル符号化するステップをさらに含む請求項７の方法。
【請求項１４】
デジタル信号のビットを内部行列に書込むステップの前にそれらをスクランブリングするステップをさらに含む請求項７の方法。
【請求項１５】
デジタル音声放送システムにおいてデータ及び／または音声を表すデジタル信号をインターリービングする装置であって、
送信すべきデジタル信号の複数のビットを受信する手段と、
それらのビットを内部行列に書込む手段と、
内部行列からそれらのビットを読出す手段と、
それらのビットを出力行列に書込む手段とより成り、
書込み及び読出し手段のうちの少なくとも一方は非順次アドレス方式に従うインターリービング装置。
【請求項１６】
出力行列内のビット数はデジタル信号の転送フレーム内のビット数に等しい請求項１５の装置。
【請求項１７】
行列内のビットは複数の区画に分けて配置されている請求項１５の装置。
【請求項１８】
各区画は複数のブロックより成る請求項１７の装置。
【請求項１９】
各区画は論理チャンネルを表すビット群を含む請求項１７の装置。
【請求項２０】
各論理チャンネル内のビットはスクランブルされる請求項１９の装置。
【請求項２１】
デジタル音声放送システムにおいてデータ及び／または音声を表すデジタル情報を放送する装置であって、
送信すべきデジタル信号の複数のビットを受信する手段と、
それらのビットを内部行列に書込む手段と、
内部行列からそれらのビットを読出す手段と、
それらのビットを出力行列に書込む手段と、
それらのビットを複数のキャリア信号にマッピングする手段と、
キャリア信号を送信する手段とより成り、
書込み及び読出し手段のうちの少なくとも一方は非順次アドレス方式に従う放送装置。
【請求項２２】
出力行列内のビット数はデジタル信号の転送フレーム内のビット数に等しい請求項２１の装置。
【請求項２３】
内部行列内のビットは複数の区画に分けて配置されている請求項２１の装置。
【請求項２４】
各区画は複数のブロックより成る請求項２１の装置。
【請求項２５】
各区画は論理チャンネルを表すビット群を含む請求項２１の装置。
【請求項２６】
各論理チャンネル内のビットはスクランブルされる請求項２５の装置。
【請求項２７】
デジタル信号のビットを内部行列に書込むステップの前にそれらのビットをチャンネル符号化する手段をさらに含む請求項２１の装置。
【請求項２８】
デジタル信号のビットを内部行列に書込むステップの前にそれらをスクランブリングする手段をさらに含む請求項２１の装置。
【請求項２９】
デジタル音声放送においてデータ及び／または音声を表すデジタル信号の受信ビットをデインターリービングする方法であって、
デジタル信号の複数の受信ビットを内部行列に書込み、
内部行列からビットを読出すステップから成り、書込み及び読出しステップのうちの少なくとも一方は非順次アドレス方式に従うデインターリービング方法。
【請求項３０】
出力行列内のビット数はデジタル信号の転送フレーム内のビット数に等しい請求項２９の方法。
【請求項３１】
デジタル音声放送システムにおいてデータ及び／または音声を表すデジタル情報を受信する方法であって、
デジタル信号の複数の畳込みインターリービング済みビットを受信し、
それらのビットを内部行列に書込み、
内部行列からそれらのビットを読出し、
読出したビットにより出力信号を発生させるステップより成り、
書込み及び読出しステップのうちの少なくとも一方は非順次アドレス方式に従うデジタル情報の受信方法。
【請求項３２】
出力行列内のビット数はデジタル信号の転送フレーム内のビット数に等しい請求項３１の方法。
【請求項３３】
デジタル音声放送システムにおいてデータ及び／または音声を表すデジタル信号をデインターリービングする装置であって、
デジタル信号の複数のビットを受信する手段と、
それらのビットを内部行列に書込む手段と、
内部行列からそれらのビットを読出す手段とより成り、
書込み及び読出し手段のうちの少なくとも一方は非順次アドレス方式に従うデジタル信号のデインターリービング装置。
【請求項３４】
出力行列内のビット数はデジタル信号の転送フレーム内のビット数に等しい請求項３３の装置。
【請求項３５】
デジタル音声放送システムにおいてデータ及び／または音声を表すデジタル情報を受信する装置であって、
デジタル信号の複数のビットを受信する手段と、
それらのビットを内部行列に書込む手段と、
内部行列からそれらのビットを読出す手段と、
読出したビットにより出力信号を発生させる手段とより成り、
書込み及び読出し手段のうちの少なくとも一方は非順次アドレス方式に従うデジタル情報の受信装置。
【請求項３６】
出力行列内のビット数はデジタル信号の転送フレーム内のビット数に等しい請求項３５の装置。
【国際調査報告】
2006501724.tif 000042